(57)【特許請求の範囲】
【請求項１】
マルチキャリア通信を行う基地局装置であって、
フレームタイミング同定のために用いられるフレーム同期系列とＴＴＩタイミング同定のために用いられるＴＴＩ同期系列とを、周波数と時間とから特定される、同一シンボルに重ならないように配置してフレームを形成するフレーム形成手段と、
前記フレームを送信する送信手段と、
を具備し、
前記フレーム形成手段は、前記フレーム同期系列と前記ＴＴＩ同期系列とを異なるサブキャリアに配置し、前記フレーム同期系列をフレームの先頭ＴＴＩの先頭に合わせて時間方向に配置し、前記ＴＴＩ同期系列を前記先頭ＴＴＩ以外のＴＴＩの先頭に合わせて時間方向に配置する、基地局装置。
【請求項２】
前記フレーム形成手段は、前記ＴＴＩ同期系列をＴＴＩの先頭に合わせてすべてのＴＴＩに配置する、請求項１記載の基地局装置。
【請求項３】
前記フレーム同期系列と前記ＴＴＩ同期系列とが同一系列からなる請求項２記載の基地局装置。
【請求項４】
前記フレーム同期系列の系列長は、フレーム長であり、前記ＴＴＩ同期系列の系列長は、ＴＴＩ長である、請求項１記載の基地局装置。
【請求項５】
前記フレーム形成手段は、フレームの先頭ＴＴＩにおける前記フレーム同期系列を配置するサブキャリアの組み合わせと、前記先頭ＴＴＩ以外のＴＴＩにおける前記ＴＴＩ同期系列を配置するサブキャリアの組み合わせとを異ならせる請求項１記載の基地局装置。
【請求項６】
前記フレーム形成手段は、前記フレーム同期系列又は前記ＴＴＩ同期系列を配置するサブキャリアの組み合わせを、フレーム内の各ＴＴＩで異ならせる請求項１記載の基地局装置。
【請求項７】
マルチキャリア通信を行う基地局装置であって、
各サブキャリアにおける各ＴＴＩの先頭シンボルおよび所定シンボルに同期をとるための同期系列を周波数方向に配置してフレームを形成するフレーム形成手段と、
前記フレームを送信する送信手段と、
具備し、
前記フレーム形成手段は、前記フレームの先頭ＴＴＩと前記先頭ＴＴＩ以外のＴＴＩとの間で前記所定シンボルの位置を変えて前記同期系列を配置し、前記先頭ＴＴＩにおいては前記所定シンボルが末尾のシンボルである、
基地局装置。
【請求項８】
前記フレーム形成手段は、前記ＴＴＩごとに前記所定シンボルの位置を変えて前記同期系列を配置する請求項７記載の基地局装置。
【請求項９】
前記所定シンボルは、サブキャリアブロックごとに異なる、請求項８記載の基地局装置。
【請求項１０】
前記フレーム形成手段は、前記先頭シンボルと、前記所定シンボルとに異なる系列を配置する、請求項７記載の基地局装置。
【発明の詳細な説明】
【技術分野】
【０００１】
本発明は、基地局装置に関し、特にマルチキャリア通信を行う基地局装置に関する。
【背景技術】
【０００２】
ＯＦＣＤＭにおけるセルサーチ方法として、同期用チャネルＳＣＨを周波数多重した方法が提案されている（非特許文献１、２参照）。まず、従来技術のフレーム構成図を図１に示す。同図において、ＴＣＨ(Traffic Channel)は通常のデータチャネル、ＣＰＩＣＨ(Common Pilot Channel)は既知信号である共通パイロットチャネルを示している。同期用チャネルであるＳＣＨ(Synchronization Channel)は既知のユニークな信号であり、且つ、規定サブキャリアにおいて周波数多重される。
【０００３】
一方、受信側である移動局は、３段階セルサーチアルゴリズムにより、ＯＦＤＭシンボルタイミング検出、フレームタイミング検出、スクランブリングコード同定を行う。以下に各段階の詳細な動作を記載する。
【０００４】
（１）第１段階：シンボルタイミング検出
移動局は、ＯＦＤＭのガードインタバルの相関特性を利用して、ＯＦＤＭシンボルタイミング(すなわち、ＦＦＴウィンドウタイミング)を検出する（非特許文献３）。具体的には、ＯＦＤＭシンボル毎に各サンプル点においてガードインタバル相関を計算し、これを１フレームにわたって平均化した上で、最大相関値に対応するＯＦＤＭシンボルタイミングを検出する。
【０００５】
（２）第２段階：フレームタイミング検出
第１段階にて検出されたＯＦＤＭシンボルタイミングに基づいてＦＦＴ処理を行い、ＦＦＴ処理後の信号について次の処理を行う。すなわち、ＦＦＴにより分離された各サブキャリア成分のうち、ＳＣＨが送信されているサブキャリア成分とＳＣＨのレプリカとの相関をサブキャリア毎に１フレーム長にわたって同相加算する。そして、サブキャリア毎に同相加算された相関検出値をさらに周波数方向（すなわち、複数サブキャリア間）および時間方向（すなわち、複数フレーム間）に電力加算して平均相関値を算出する。そして、最大の平均相関値が得られるタイミングを検出し、フレームタイミングの候補とする。
【０００６】
（３）第３段階：スクランブリングコード同定
第２段階にて検出されたフレームタイミングにより、ＣＰＩＣＨの多重シンボル位置が分かる。そこで、ＣＰＩＣＨに乗算されうるスクランブリングコードの全候補とパイロット信号のレプリカを用いて相関演算を行う。そして、最大相関値が得られるスクランブリングコードを検出し、セル固有のスクランブリングコードであると同定する。
【０００７】
また、ＯＦＤＭ信号を伝送する無線フレームとしては、ＷＣＤＭＡ（ＵＭＴＳ）との後方互換性を考慮して複数のＴＴＩ（Transmission Time Interval）からなるフレームが提案されている。
【非特許文献１】花田，新，樋口，佐和橋，“ブロードバンドマルチキャリアCDMA伝送における周波数多重同期チャネルを用いた3段階セルサーチ特性，”RCS2001-91，2001年7月
【非特許文献２】花田，樋口，佐和橋，“ブロードバンド Multi-carrier CDMA伝送における3段階高速セルサーチ法およびその特性，”RCS2000-170，2000年11月
【非特許文献３】3GPP, R1-050464, NTT DoCoMo, “Physical Channel Structures for Evolved UTRA”
【非特許文献４】3GPP, R1-050484, Nortel, “Proposal for the Downlink Multiple Access Scheme for E-UTRA (Update)”
【発明の開示】
【発明が解決しようとする課題】
【０００８】
しかしながら、このような構成を有するフレームをセルサーチに用いる場合には、フレームタイミングの検出にＴＴＩタイミングを利用できるが、従来技術においてはこの点について何ら配慮がなされていない。
【０００９】
本発明の目的は、セルサーチにＴＴＩタイミングの同定を導入しセルサーチを高速化する基地局装置を提供することである。
【課題を解決するための手段】
【００１０】
本発明の基地局装置は、マルチキャリア通信を行う基地局装置であって、フレームタイミング同定のために用いられるフレーム同期系列とＴＴＩタイミング同定のために用いられるＴＴＩ同期系列とを、周波数と時間とから特定される、同一シンボルに重ならないように配置してフレームを形成するフレーム形成手段と、前記フレームを送信する送信手段と、を具備し、前記フレーム形成手段が、前記フレーム同期系列と前記ＴＴＩ同期系列とを異なるサブキャリアに配置し、前記フレーム同期系列をフレームの先頭ＴＴＩの先頭に合わせて時間方向に配置し、前記ＴＴＩ同期系列を前記先頭ＴＴＩ以外のＴＴＩの先頭に合わせて時間方向に配置する構成を採る。
【発明の効果】
【００１２】
本発明によれば、セルサーチにＴＴＩタイミングの同定を導入しセルサーチを高速化する基地局装置を提供することができる。
【発明を実施するための最良の形態】
【００１３】
以下、本発明の実施の形態について図面を参照して詳細に説明する。なお、実施の形態において、同一の構成要素には同一の符号を付し、その説明は重複するので省略する。
【００１４】
（実施の形態１）
図２に示すように実施の形態１の基地局装置１００は、符号化部１０５と、変調部１１０と、同期用チャネル（ＳＣＨ）生成部１１５と、フレーム構成部１２０と、スクランブリングコード生成部１２５と、スクランブル部１３０と、ＩＦＦＴ部１３５と、ＧＩ挿入部１４０と、無線送信部１４５と、を有する。
【００１５】
符号化部１０５は、送信信号を入力し、所定の符号化を行い、符号化後の信号を変調部１１０に出力する。
【００１６】
変調部１１０は、符号化部１０５より符号化後の信号を入力し、符号化後の信号に対して所定の一次変調をかける。この一次変調は、一般的にはＱｏＳ（Quality of Service）や無線チャネル状態に応じて行われる。そして、変調後の信号は、フレーム構成部１２０に出力される。
【００１７】
同期用チャネル生成部１１５は、フレーム同期用およびＴＴＩ同期用のＳＣＨ系列を生成する。実施の形態１においては、特に、フレーム同期用のＳＣＨ１系列と、ＴＴＩ同期用のＳＣＨ２系列とを生成する。また、実施の形態１においては、ＳＣＨ１系列およびＳＣＨ２系列の長さは、ＴＴＩ長に等しい。そして、同期用チャネル生成部１１５にて生成されたＳＣＨ系列は、フレーム構成部１２０に出力される。
【００１８】
フレーム構成部１２０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【００１９】
実施の形態１においては、フレーム構成部１２０は、同期用チャネル生成部１１５より２種類の異なる系列、すなわちＳＣＨ１系列およびＳＣＨ２系列を入力し、予め決められている少なくとも１つ以上のサブキャリアにＳＣＨ系列を挿入する。なお、フレーム構成部１２０は、ＳＣＨ系列を配置したシンボル以外に、特に実施の形態１においてはＳＣＨ系列を配置したサブキャリア以外のサブキャリアに、変調後の信号を配置する。
【００２０】
具体的には、図３に示すように、同一のサブキャリアにおいて、後述する移動局装置にてフレーム同期のために用いられるＳＣＨ１系列をフレーム先頭のＴＴＩに時間軸方向に配置し、ＴＴＩ同期のために用いられるＳＣＨ２系列をフレーム先頭のＴＴＩ以外のＴＴＩに時間軸方向に配置する。同図においては、各サブキャリアブロックの２つのサブキャリアにＳＣＨ系列が配置されたフレーム構成となっている。なお、ＳＣＨ１系列とＳＣＨ２系列とは、互いに相関が小さい、又は、無相関であることが望ましい。
【００２１】
スクランブリングコード生成部１２５は、基地局固有のスクランブリングコード番号に応じて、スクランブリングコードを生成する。生成されたスクランブリングコードは、スクランブル部１３０に出力される。
【００２２】
スクランブル部１３０は、スクランブリングコード生成部１２５よりスクランブリングコードを入力し、フレーム構成部１２０にて形成されたフレームを入力する。そして、スクランブル部１３０は、１ＯＦＤＭシンボルごとに、その内のＳＣＨ系列が配置されたシンボルを除いたシンボルにスクランブリングコードを乗算し、スクランブルを行う。スクランブルされたフレームは、ＩＦＦＴ部１３５に出力される。
【００２３】
ＩＦＦＴ部１３５は、スクランブル部１３０よりスクランブルされた送信データが入力される。ＩＦＦＴ部１３５は、入力された周波数領域の信号を時間領域の信号に変換してマルチキャリア波信号を生成し、マルチキャリア波信号をＧＩ(Guard Interval)挿入部１４０に出力する。
【００２４】
ＧＩ挿入部１４０は、ＯＦＤＭシンボルデータ部の一部(大抵は、末尾のかたまりの信号成分)をＯＦＤＭシンボルの先頭にコピーする。これにより、遅延波対策を行っている。ＧＩ挿入後のＯＦＤＭシンボルは、無線送信部１４５に出力される。
【００２５】
無線送信部１４５は、ＧＩ挿入部１４０からガードインタバル挿入後の信号を入力し、アップコンバートなどのＲＦ処理を行い、アンテナを介して送信する。
【００２６】
図４に示すように実施の形態１の移動局装置２００は、受信制御部２０５と、無線受信部２１０と、シンボルタイミング検出部２１５と、ＧＩ除去部２２０と、ＦＦＴ処理部２２５と、同期チャネル相関部２３０と、同期チャネル系列レプリカ生成部２３５と、ＴＴＩタイミング／フレームタイミング検出部２４０と、スクランブリングコード同定部２４５と、スクランブリングコードレプリカ生成部２５０と、デスクランブリング部２５５と、復号部２６０と、ＣＲＣチェック部２６５とを有する。
【００２７】
受信制御部２０５は、移動局装置２００の状態、すなわち初期セルサーチモードの第何段階であるか又は通常受信モードであるかなどに応じて無線受信部２１０及びＦＦＴ処理部２２５からの出力信号の出力先に関して制御する。具体的には、無線受信部２１０及びＦＦＴ処理部２２５に対して出力先命令信号を出力して無線受信部２１０及びＦＦＴ処理部２２５からの出力信号の出力先を制御する。無線受信部２１０への出力先命令信号の内容としては、移動局装置２００の状態が初期セルサーチモードの第１段階である場合にはシンボルタイミング検出部２１５が出力先である旨の内容となり、第１段階以外である場
合にはＧＩ除去部２２０が出力先である旨の内容となる。また、ＦＦＴ処理部２２５への出力先命令信号の内容としては、初期セルサーチモードの第２段階である場合には同期チャネル相関部２３０が出力先である旨の内容となり、初期セルサーチモードの第３段階である場合にはスクランブリングコード同定部２４５が出力先である旨の内容となる。また、通常受信モードである場合にはデスクランブリング部２５５が出力先である旨の内容となる。
【００２８】
無線受信部２１０は、アンテナを介して基地局装置１００からの信号を受信し、ダウンコンバートなどのＲＦ処理を行う。そして、無線受信部２１０は、上記受信制御部２０５からの出力先命令信号が示す出力先に対してＲＦ処理後の信号を出力する。
【００２９】
シンボルタイミング検出部２１５は、移動局装置２００が初期セルサーチモードの第１段階であるときに無線受信部２１０からＲＦ処理後の信号が入力される。シンボルタイミング検出部２１５は、ガードインタバル相関をとり、ＯＦＤＭシンボルにおけるガードインタバルの相関特性を利用して、ＯＦＤＭシンボルタイミングを検出する。このＯＦＤＭシンボルタイミングは、すなわちＦＦＴを施すためのＦＦＴウィンドウタイミングである。そして、シンボルタイミング検出部２１５は、検出したシンボルタイミングの結果をＧＩ除去部２２０に出力するとともに、シンボルタイミングを検出したこと、すなわちセルサーチの第１段階が終了したことを通知するための第１段階終了通知信号を受信制御部２０５に出力する。
【００３０】
ＧＩ除去部２２０は、シンボルタイミング検出部２１５からのＯＦＤＭシンボルタイミングに従って、ＲＦ処理後の受信信号からガードインタバルを除去し、ＦＦＴ処理部２２５に出力する。
【００３１】
ＦＦＴ処理部２２５は、ＧＩ除去部２２０からのガードインタバル除去後の受信信号を、ＯＦＤＭシンボル単位で入力し、この入力信号に対してＦＦＴ処理を施す。そして、ＦＦＴ処理部２２５は、受信制御部２０５からの出力先命令信号に応じた出力先にＦＦＴ処理後の信号を出力する。具体的には、ＦＦＴ処理部２２５は、現在の移動局装置２００の状態がセルサーチの第２段階である場合には、同期チャネル相関部２３０が出力先である旨の出力先命令信号が入力され、ＦＦＴ処理後の信号を同期チャネル相関部２３０に出力する。また、ＦＦＴ処理部２２５は、現在の移動局装置２００の状態がセルサーチの第３段階である場合には、スクランブリングコード同定部２４５が出力先である旨の出力先命令信号が入力され、ＦＦＴ処理後の信号をスクランブリングコード同定部２４５に出力する。また、ＦＦＴ処理部２２５は、受信制御部２０５より上記同期チャネル相関部２３０が出力先である出力先命令信号およびスクランブリングコード同定部２４５が出力先である旨の出力先命令信号以外の出力先命令信号を入力するときには、ＦＦＴ処理後の信号をデスクランブリング部２５５に出力する。
【００３２】
同期チャネル相関部２３０は、ＦＦＴ処理部２２５からＦＦＴ処理後の受信信号を入力し、ＳＣＨが多重されているサブキャリア信号をそれぞれ１ＴＴＩ長分抽出し、この抽出した信号と、同期チャネル系列レプリカ生成部２３５から入力される２つのＳＣＨ系列レプリカ（ＳＣＨ１系列レプリカ、ＳＣＨ２系列レプリカ）との時間方向の相関演算を行い、同相加算して相関値を求める。さらに、所定のサブキャリア毎に得た相関値をＳＣＨ１系列ごとあるいはＳＣＨ２系列ごとにサブキャリア間で相関値の電力合成を行い、各シンボルにおける相関値の電力合成結果をＴＴＩタイミング／フレームタイミング検出部２４０に出力する。以下、この電力合成結果を「ＳＣＨ１相関値」、「ＳＣＨ２相関値」と呼ぶことがある。
【００３３】
なお、ＴＴＩタイミング／フレームタイミング検出部２４０よりＴＴＩタイミング情報
が入力されている場合には、そのＴＴＩタイミングにおいてのみＳＣＨ１系列レプリカ、ＳＣＨ２系列レプリカと、抽出信号との相関演算をそれぞれ行い、サブキャリア間で相関値の電力合成を行う。そして、そのＴＴＩタイミングにおける相関値をＴＴＩタイミング／フレームタイミング検出部２４０にフィードバックする。
【００３４】
同期チャネル系列レプリカ生成部２３５は、システムによりあらかじめ決められているフレーム同期用チャネルのＳＣＨ系列を生成し、ＳＣＨ系列レプリカとして同期チャネル相関部２３０に出力する。実施の形態１においては、基地局装置１００から送信されてくるフレームには、２つの異なるＳＣＨ系列（ＳＣＨ１系列、ＳＣＨ２系列）が含まれているため、同期チャネル系列レプリカ生成部２３５は、ＳＣＨ１系列、ＳＣＨ２系列を生成し、同期チャネル相関部２３０に出力する。
【００３５】
ＴＴＩタイミング／フレームタイミング検出部２４０は、同期チャネル相関部２３０から１ＴＴＩ内の各シンボルタイミングについてのＳＣＨ１系列およびＳＣＨ２系列による相関値（電力合成後のもの）を入力し、入力した相関値の中で最大相関値が得られるタイミングと、ＳＣＨ系列の種別（すなわち、ＳＣＨ１系列であるか又はＳＣＨ２系列であるか）とを検出する。
【００３６】
検出した結果、ＳＣＨ１系列による相関値が最大相関値である場合には、ＴＴＩタイミング／フレームタイミング検出部２４０は、その最大相関値が得られるタイミングをフレームタイミングと同定する。そして、検出したフレームタイミング情報をスクランブリングコード同定部２４５と受信制御部２０５に出力する。一方、検出した結果、ＳＣＨ２系列による相関値が最大相関値である場合には、ＴＴＩタイミング／フレームタイミング検出部２４０は、その最大相関値が得られるタイミングをＴＴＩタイミングと同定する。そして検出したＴＴＩタイミング情報を同期チャネル相関部２３０に出力する。なお、ＴＴＩタイミングを検出できた後は、ＴＴＩタイミングの中でフレームタイミングを検出すればよいので、同期チャネル相関部２３０は上述のとおりこのＴＴＩタイミング情報を受け取った後にはＴＴＩタイミングであるシンボルタイミングについてのみの相関をとればよいため処理量が低減される。
【００３７】
スクランブリングコード同定部２４５は、ＦＦＴ処理部２２５から、フレームの先頭など予め決められている位置にＣＰＩＣＨ（共通パイロット信号）が配置されている受信信号を入力する。また、ＴＴＩタイミング／フレームタイミング検出部２４０よりフレームタイミング情報が入力される。さらに、スクランブリングコードレプリカをスクランブリングコードレプリカ生成部２５０から入力する。
【００３８】
そして、スクランブリングコード同定部２４５は、入力されるフレームタイミング情報に従って受信信号からＣＰＩＣＨを抽出し、スクランブリングコードレプリカの全候補と既知であるパイロット信号を用いてＣＰＩＣＨレプリカを形成し、抽出したＣＰＩＣＨと生成したＣＰＩＣＨレプリカとの相関をとり、最大相関値が得られるＣＰＩＣＨレプリカを形成する際に用いたスクランブリングコードを同定する。同定したスクランブリングコードはデスクランブリング部２５５に出力される。
【００３９】
スクランブリングコードレプリカ生成部２５０は、全候補のスクランブリングコードレプリカを作成し、スクランブリングコード同定部２４５に出力する。
【００４０】
デスクランブリング部２５５は、ＦＦＴ処理部２２５から受信信号を入力する。また、デスクランブリング部２５５は、スクランブリングコード同定部２４５からスクランブリングコードを入力する。そして、デスクランブリング部２５５は、このスクランブリングコードを用いて受信信号のデスクランブリングを行い、デスクランブル後の信号を復号部
２６０に出力する。
【００４１】
復号部２６０は、デスクランブル後の受信信号を入力し、適切な誤り訂正復号を行って誤り訂正復号結果をＣＲＣチェック部２６５に出力する。
【００４２】
ＣＲＣチェック部２６５は、復号部２６０からの誤り訂正復号結果に対してＣＲＣエラーチェックを行い、エラーがない場合には、初期セルサーチを完了したと判定する。一方、エラーが存在する場合には、ＣＲＣチェック部２６５は、再度初期セルサーチを第１段階からやり直すべく、受信制御部２０５に対してＣＲＣエラーチェック結果を出力する。なお、このエラーが存在したときに出力されるＣＲＣエラーチェック結果を受け取ると、受信制御部２０５は、シンボルタイミング検出部２１５が出力先である旨の出力先命令信号を無線受信部２１０に出力することとなる。
【００４３】
次いで、移動局装置２００の動作について図５のフロー図を参照して説明する。
【００４４】
ステップＳＴ１００１において、移動局装置２００のシンボルタイミング検出部２１５が、ガードインタバル相関をとり、ＯＦＤＭシンボルにおけるガードインタバルの相関特性を利用して、ＯＦＤＭシンボルタイミングを検出する。これがセルサーチの第１段階である。
【００４５】
ステップＳＴ１００２において、同期チャネル相関部２３０は、受信信号からＳＣＨが多重されているサブキャリア信号をそれぞれ１ＴＴＩ長分抽出する。
【００４６】
ステップＳＴ１００３において、同期チャネル相関部２３０は、ステップＳＴ１００２にて抽出した信号と、ＳＣＨ系列レプリカとの相関演算を行う。具体的には、実施の形態１において用いられるフレームがフレーム同期のために用いられるＳＣＨ１系列をフレーム先頭のＴＴＩに時間軸方向に配置し、ＴＴＩ同期のために用いられるＳＣＨ２系列をフレーム先頭のＴＴＩ以外のＴＴＩに時間軸方向に配置した構成となっているので、同期チャネル相関部２３０は、ステップＳＴ１００２にて抽出した信号と、２つのＳＣＨ系列レプリカ（ＳＣＨ１系列レプリカ、ＳＣＨ２系列レプリカ）の各々との時間方向の相関演算を１ＴＴＩの全シンボルに亘って行う。
【００４７】
ステップＳＴ１００４において、同期チャネル相関部２３０は、ステップＳＴ１００３にて所定のサブキャリア毎に得た相関値をＳＣＨ１系列ごとあるいはＳＣＨ２系列ごとにサブキャリア間で相関値の電力合成を行う。
【００４８】
ステップＳＴ１００５において、ＴＴＩタイミング／フレームタイミング検出部２４０は、同期チャネル相関部２３０から１ＴＴＩ内の各シンボルタイミングについてのＳＣＨ１系列およびＳＣＨ２系列による相関値（電力合成後のもの）を入力し、入力した相関値の中で最大相関値が得られるタイミングと、ＳＣＨ系列の種別（すなわち、ＳＣＨ１系列であるか又はＳＣＨ２系列であるか）とを検出する。
【００４９】
ステップＳＴ１００６において、ＴＴＩタイミング／フレームタイミング検出部２４０は、ステップＳＴ１００５にて検出した、最大相関値が得られたＳＣＨ系列がＳＣＨ２系列であるか否かを判断し、ＳＣＨ系列の種別に応じた処理を行う。
【００５０】
すなわち、判断の結果、ＳＣＨ２系列による相関値が最大相関値である場合（ステップＳＴ１００６：ＹＥＳ）には、ＴＴＩタイミング／フレームタイミング検出部２４０は、その最大相関値が得られるタイミングをＴＴＩタイミングと同定する（ステップＳＴ１００７）。そして、このＴＴＩタイミング情報を同期チャネル相関部２３０に出力する。
【００５１】
ステップＳＴ１００８において、同期チャネル相関部２３０は、ＴＴＩタイミング／フレームタイミング検出部２４０からＴＴＩタイミング情報を受け取ると、ＴＴＩタイミングであるシンボルタイミングについてのみＳＣＨ１系列レプリカ、ＳＣＨ２系列レプリカと、抽出信号との相関演算を行うこととなるため、次のＴＴＩタイミングにおける、ＳＣＨ１系列レプリカ、ＳＣＨ２系列レプリカと、抽出信号との相関演算を行う。そして、同期チャネル相関部２３０は、ステップＳＴ１００８にて所定のサブキャリア毎に得た相関値をＳＣＨ１系列ごとあるいはＳＣＨ２系列ごとにサブキャリア間で相関値の電力合成を行う。そして、ＴＴＩタイミング／フレームタイミング検出部２４０は、ＳＣＨ１系列について電力合成した相関値と、ＳＣＨ２系列について電力合成した相関値とを比較して、最大相関値の得られるのがＳＣＨ１系列である場合には、このＴＴＩタイミングをフレームタイミングと同定する。一方、最大相関値の得られるのがＳＣＨ２系列である場合には、ＴＴＩタイミング／フレームタイミング検出部２４０は、同期チャネル相関部２３０から入力される、次のＴＴＩタイミングにおけるＳＣＨ１系列について電力合成した相関値と、ＳＣＨ２系列について電力合成した相関値とを比較して、フレームタイミングの検出を継続して行う。
【００５２】
一方、判断の結果、ＳＣＨ１系列による相関値が最大相関値である場合（ステップＳＴ１００６：ＮＯ）には、その最大相関値が得られるタイミングをフレームタイミングと同定する（ステップＳＴ１００９）。
【００５３】
ステップＳＴ１０１０において、スクランブリングコード同定部２４５は、入力されるフレームタイミング情報に従って受信信号からＣＰＩＣＨを抽出し、スクランブリングコードレプリカの全候補と既知であるパイロット信号を用いてＣＰＩＣＨレプリカを形成し、抽出したＣＰＩＣＨと生成したＣＰＩＣＨレプリカとの相関をとり、最大相関値が得られるＣＰＩＣＨレプリカを形成する際に用いたスクランブリングコードを同定する。そして、同定したスクランブリングコードを用いてデスクランブルを行い、誤り訂正復号、ＣＲＣチェックを行ってＣＲＣチェック結果に応じてベリフィケーション（検証）を行う。
【００５４】
図６を参照して、上記ＴＴＩタイミングおよびフレームタイミングの同定について視覚的に説明する。同図においては、上の方に示す図（上図）として実施の形態１のフレームが示され、下図として同期チャネル相関部２３０が各シンボルタイミングで１ＴＴＩ長分のサブキャリア信号を抽出した場合の、「ＳＣＨ１相関値」および「ＳＣＨ２相関値」の算出状況が1ＴＴＩ区切りで示されている。なお、同図において、１ＴＴＩは８シンボルからなっているものとする。
【００５５】
例えば、同期チャネル相関部２３０が図６の下図の一番左に示すタイミング、すなわち前のフレームから今回のフレームにまたがったタイミングで１ＴＴＩ長分のサブキャリア信号を抽出した場合には、そのＴＴＩの範囲内にフレームタイミングが存在する。実施の形態１のフレームはＳＣＨ１系列をフレーム先頭のＴＴＩに時間軸方向に配置しＳＣＨ２系列をフレーム先頭のＴＴＩ以外のＴＴＩに時間軸方向に配置した構成となっているので、フレームタイミングで「ＳＣＨ１相関値」が最大となり、「ＳＣＨ２相関値」には大きなピークは現れない。そのため、同期チャネル相関部２３０が抽出した１ＴＴＩ長分のサブキャリア信号に関して、「ＳＣＨ１相関値」に最大相関値が現れ「ＳＣＨ２相関値」に大きなピークが現れないときには、「ＳＣＨ１相関値」の最大相関値が現れるシンボルタイミングをフレームタイミングおよびＴＴＩタイミングであると同定することができる。
【００５６】
また、例えば、同期チャネル相関部２３０が図６の下図の左から２番目に示すタイミング、すなわちフレームの先頭のＴＴＩと次のＴＴＩとにまたがったタイミングで１ＴＴＩ長分のサブキャリア信号を抽出した場合には、そのＴＴＩの範囲内にＴＴＩタイミングは
存在するがフレームタイミングは存在しない。実施の形態１のフレームは上述のような構成をとっているので、「ＳＣＨ２相関値」がＴＴＩタイミングで最大となり、このＴＴＩタイミングでは「ＳＣＨ１相関値」の大きなピークは現れない。そのため、同期チャネル相関部２３０が抽出した１ＴＴＩ長分のサブキャリア信号に関して、「ＳＣＨ２相関値」に最大相関値が現れ「ＳＣＨ１相関値」に大きなピークが現れないときには、「ＳＣＨ２相関値」の最大相関値が現れるシンボルタイミングをＴＴＩタイミング（ただし、このＴＴＩタイミングはフレームタイミングではない）であると同定することができる。フレームタイミングはＴＴＩタイミングでもあるため、ＴＴＩタイミングが検出された後にはＴＴＩタイミングについてのみ「ＳＣＨ１相関値」および「ＳＣＨ２相関値」を確認し、ＳＣＨ１相関値」に最大相関値が現れるタイミングをフレームタイミングとして同定すればよいこととなる。
【００５７】
このように実施の形態１によれば、マルチキャリア通信を行う基地局装置１００に、フレームタイミング同定のために用いられるフレーム同期系列（ＳＣＨ１系列）とＴＴＩタイミング同定のために用いられるＴＴＩ同期系列（ＳＣＨ２系列）とを、周波数と時間とから特定される、同一シンボルに重ならないように配置してフレームを形成するフレーム構成部１２０と、前記フレームを送信する無線送信部１４５と、を設け、フレーム構成部１２０は、前記フレーム同期系列をフレームの先頭シンボルから所定の位置に配置し且つ前記ＴＴＩ同期系列をＴＴＩの先頭シンボルから所定の位置に配置する。
【００５８】
こうすることにより、フレームの受信側（移動局装置２００）において、ＴＴＩ同期系列の位置からＴＴＩタイミングを検出することができ、ＴＴＩタイミングを検出した後はＴＴＩタイミングについてのみフレームタイミングであるか否かを確認すればよいため、フレームタイミングを検出するまでの時間を短縮でき、セルサーチを高速化することができる。
【００５９】
また、フレーム構成部１２０は、予め定められている複数のサブキャリアにおいて、前記フレーム同期系列をフレームの先頭ＴＴＩの先頭に合わせて時間方向に配置し、前記ＴＴＩ同期系列を前記先頭ＴＴＩ以外のＴＴＩの先頭に合わせて時間方向に配置してフレームを形成する。
【００６０】
こうすることにより、フレームの受信側（移動局装置２００）においては、同期系列の位置から直接的にＴＴＩタイミングを検出することができるので、ＴＴＩタイミング検出までの時間ひいてはフレームタイミングを検出するまでの時間を短縮でき、セルサーチを高速化することができる。
【００６１】
また、フレーム構成部１２０は、前記フレーム同期系列および前記ＴＴＩ同期系列の配置されるサブキャリアが、複数のサブキャリアからなるサブキャリアブロックに少なくとも１つ以上の割合で存在するフレームを形成する。
【００６２】
こうすることにより、両系列が周波数上にバランス良く配置されるので、周波数フェージングに対する耐性を向上することができる。
【００６３】
また、実施の形態１によれば、基地局装置１００から送信されたフレームに基づいてセルサーチを行う移動局装置２００に、フレームタイミング同定のために用いられるフレーム同期系列（ＳＣＨ１系列）がフレームの先頭シンボルから所定の位置に配置され且つＴＴＩタイミング同定のために用いられるＴＴＩ同期系列（ＳＣＨ２系列）がＴＴＩの先頭シンボルから所定の位置に配置され、前記フレーム同期系列と前記ＴＴＩ同期系列とが周波数と時間とから特定される、同一シンボルに重ならないように配置されたフレームを受信する無線受信部２１０と、前記フレーム同期系列および前記ＴＴＩ同期系列の全候補を
前記フレームに順次掛け合わせて相関をとる同期チャネル相関部２３０と、同期チャネル相関部２３０にて得られる相関値に基づいて、前記フレームタイミングおよび前記ＴＴＩタイミングを検出するＴＴＩタイミング／フレームタイミング検出部２４０と、を設けた。
【００６４】
こうすることにより、ＴＴＩ同期系列の位置からＴＴＩタイミングを検出することができ、ＴＴＩタイミングを検出した後はＴＴＩタイミングについてのみフレームタイミングであるか否かを確認すればよいため、フレームタイミングを検出するまでの時間を短縮でき、セルサーチを高速化することができる。
【００６５】
また、無線受信部２１０は、予め定められている複数のサブキャリアにおいて、前記フレーム同期系列（ＳＣＨ１系列）がフレームの先頭ＴＴＩの先頭に合わせて時間方向に配置され、前記ＴＴＩ同期系列（ＳＣＨ２系列）が前記先頭ＴＴＩ以外のＴＴＩの先頭に合わせて時間方向に配置されたフレームを受信し、同期チャネル相関部２３０は、受信フレームから前記フレーム同期系列および前記ＴＴＩ同期系列が配置されているサブキャリア信号をＴＴＩ長抽出し、抽出したサブキャリア信号に当該フレーム同期系列および前記ＴＴＩ同期系列の各々を時間方向に乗算して相関をとり、ＴＴＩタイミング／フレームタイミング検出部２４０は、前記ＴＴＩ同期系列による相関値に基づいてＴＴＩタイミングを検出し、前記フレーム同期系列による相関値に基づいてフレームタイミングを検出する。
【００６６】
こうすることにより、同期系列の位置から直接的にＴＴＩタイミングを検出することができるので、ＴＴＩタイミング検出までの時間ひいてはフレームタイミングを検出するまでの時間を短縮でき、セルサーチを高速化することができる。
【００６７】
また、ＴＴＩタイミング／フレームタイミング検出部２４０は、前記フレームタイミングでない前記ＴＴＩタイミングを検出したときにＴＴＩタイミング情報を同期チャネル相関部２３０に出力し、同期チャネル相関部２３０は、前記ＴＴＩタイミング情報に従って、前記フレームの前記ＴＴＩタイミングにおいてのみ相関をとる。
【００６８】
こうすることにより、ＴＴＩタイミングを検出した後はＴＴＩタイミングについてのみフレームタイミングであるか否かを確認すればよいため、フレームタイミングを検出するまでの時間を短縮でき、セルサーチを高速化することができる。また、ＴＴＩタイミングを検出した後はＴＴＩタイミングについてのみ相関をとればよいので処理量を軽減することができる。
【００６９】
（実施の形態２）
実施の形態２においては、基地局装置と移動局装置との伝搬環境が劣悪な場合を想定し、初期セルサーチ第２段階処理において、移動局装置が相関値を複数のＴＴＩ間で平均化処理又は複数フレーム間で平均化処理を行う。なお、基地局装置の構成およびフレーム構成は実施の形態１と同様である。
【００７０】
図７に示すように実施の形態２の移動局装置３００は、同期チャネル相関部３１０と、ＴＴＩタイミング／フレームタイミング検出部３２０とを有し、図８に示すような動作をする。
【００７１】
同期チャネル相関部３１０は、ステップＳＴ１００２〜１００４において実施の形態１の同期チャンネル相関部２３０と同様の動作をする。
【００７２】
まず最初の段階では平均化する相関値がないのでステップＳＴ２００１をスキップし、ステップＳＴ２００２において、ＴＴＩタイミング／フレームタイミング検出部３２０は
、同期チャネル相関部３１０から１ＴＴＩ内の各シンボルタイミングについてのＳＣＨ１系列およびＳＣＨ２系列による相関値（電力合成後のもの）を入力し、入力した相関値の中で最大相関値が得られるタイミングと、ＳＣＨ系列の種別（すなわち、ＳＣＨ１系列であるか又はＳＣＨ２系列であるか）とを検出する。
【００７３】
ステップＳＴ２００３において、ＴＴＩタイミング／フレームタイミング検出部３２０は、ステップＳＴ２００２にて検出した、最大相関値が得られたＳＣＨ系列がＳＣＨ２系列であるか否かを判断し、ＳＣＨ系列の種別に応じた処理を行う。
【００７４】
すなわち、判断の結果、ＳＣＨ２系列による相関値が最大相関値である場合（ステップＳＴ２００３：ＹＥＳ）には、ＴＴＩタイミング／フレームタイミング検出部３２０は、ＳＣＨ２系列による最大相関値とＳＣＨ１系列による相関値の最大値との差と、しきい値との比較を行う（ステップＳＴ２００４）。
【００７５】
比較の結果、ＳＣＨ２系列による最大相関値とＳＣＨ１系列による相関値の最大値との差がしきい値より大きいとき（ステップＳＴ２００４：ＹＥＳ）には、ＴＴＩタイミング／フレームタイミング検出部３２０は、ＳＣＨ２系列による最大相関値が得られたタイミングをＴＴＩタイミングと同定する（ステップＳＴ２００５）。そして、ＴＴＩタイミング／フレームタイミング検出部３２０は、ＴＴＩタイミング情報を同期チャネル相関部３１０に出力する。
【００７６】
ステップＳＴ２００６において、同期チャネル相関部３１０は、ＴＴＩタイミング／フレームタイミング検出部３２０からＴＴＩタイミング情報を受け取ると、ＴＴＩタイミングであるシンボルタイミングについてのみＳＣＨ１系列レプリカ、ＳＣＨ２系列レプリカと、抽出信号との相関演算を行うこととなるため、次のＴＴＩタイミングにおける、ＳＣＨ１系列レプリカ、ＳＣＨ２系列レプリカと、抽出信号との相関演算を行う。そして、同期チャネル相関部３１０は、ステップＳＴ２００６にて所定のサブキャリア毎に得た相関値をＳＣＨ１系列ごとあるいはＳＣＨ２系列ごとにサブキャリア間で相関値の電力合成を行う。そして、ＴＴＩタイミング／フレームタイミング検出部３２０は、ＳＣＨ１系列について電力合成した相関値と、ＳＣＨ２系列について電力合成した相関値とを比較して、最大相関値の得られるのがＳＣＨ２系列であるかを判断する。その判断の結果、ＳＣＨ２系列である場合には、ステップＳＴ２００４に再度移行する。また、その判断の結果、ＳＣＨ１系列である場合には、ステップＳＴ２００７に移行する。
【００７７】
比較の結果、ＳＣＨ２系列による最大相関値とＳＣＨ１系列による相関値の最大値との差がしきい値以下のとき（ステップＳＴ２００４：ＮＯ）には、ステップＳＴ１００３に移行する。そして、ステップＳＴ１００４を経てステップＳＴ２００１に移行し、同期チャネル相関部３１０は相関値の電力平均化処理を行う。なお、この電力平均化処理は、ＳＣＨ１系列の相関値についてはフレーム単位で行われ、ＳＣＨ２系列の相関値についてはＴＴＩ単位で行われる。そして、ステップＳＴ２００２、ステップＳＴ２００３の処理へと移行していく。なお、伝搬環境が劣悪な移動局装置３００は、ＴＴＩ単位でフレームタイミングかＴＴＩタイミングかを判定できない場合に、ＴＴＩ間平均あるいはフレーム間平均を行うことでセルサーチ性能を改善することができる。
【００７８】
ステップＳＴ２００３における判断の結果、ＳＣＨ１系列による相関値が最大相関値である場合（ステップＳＴ２００３：ＮＯ）には、ＴＴＩタイミング／フレームタイミング検出部３２０は、ＳＣＨ１系列による最大相関値とＳＣＨ２系列による相関値の最大値との差と、しきい値との比較を行う（ステップＳＴ２００７）。
【００７９】
比較の結果、ＳＣＨ１系列による最大相関値とＳＣＨ２系列による相関値の最大値との
差がしきい値より大きい場合（ステップＳＴ２００７：ＹＥＳ）には、ＴＴＩタイミング／フレームタイミング検出部３２０は、ＳＣＨ１系列による最大相関値が得られたタイミングをフレームタイミングと同定する（ステップＳＴ２００８）。
【００８０】
比較の結果、ＳＣＨ１系列による最大相関値とＳＣＨ２系列による相関値の最大値との差がしきい値以下の場合（ステップＳＴ２００７：ＮＯ）には、ステップＳＴ１００３に移行する。そして、ステップＳＴ１００４を経てステップＳＴ２００１に移行し、同期チャネル相関部３１０は相関値の電力平均化処理を行う。なお、この電力平均化処理は、ＳＣＨ１系列の相関値についてはフレーム単位で行われ、ＳＣＨ２系列の相関値についてはＴＴＩ単位で行われる。そして、ステップＳＴ２００２、ステップＳＴ２００３の処理へと移行していく。
【００８１】
ステップＳＴ２００９において、スクランブリングコード同定部２４５は、入力されるフレームタイミング情報に従って受信信号からＣＰＩＣＨを抽出し、スクランブリングコードレプリカの全候補と既知であるパイロット信号を用いてＣＰＩＣＨレプリカを形成し、抽出したＣＰＩＣＨと生成したＣＰＩＣＨレプリカとの相関をとり、最大相関値が得られるＣＰＩＣＨレプリカを形成する際に用いたスクランブリングコードを同定する。そして、同定したスクランブリングコードを用いてデスクランブルを行い、誤り訂正復号、ＣＲＣチェックを行ってＣＲＣチェック結果に応じてベリフィケーション（検証）を行う。
【００８２】
図９を参照して、上記ＴＴＩタイミングおよびフレームタイミングの同定について視覚的に説明する。同図においては、上の方に示す図（上図）として実施の形態２のフレームが示され、下図として同期チャネル相関部３１０が各シンボルタイミングで１ＴＴＩ長分のサブキャリア信号を抽出した場合の、「ＳＣＨ１相関値」および「ＳＣＨ２相関値」の算出状況が１ＴＴＩ区切りで示されている。なお、同図において、１ＴＴＩは８シンボルからなっているものとする。
【００８３】
例えば、同期チャネル相関部が図９の下図の一番左に示すタイミング、すなわち前のフレームから今回のフレームにまたがったタイミングで１ＴＴＩ長分のサブキャリア信号を抽出した場合には、そのＴＴＩの範囲内にフレームタイミングが存在する。実施の形態２のフレームはＳＣＨ１系列をフレーム先頭のＴＴＩに時間軸方向に配置しＳＣＨ２系列をフレーム先頭のＴＴＩ以外のＴＴＩに時間軸方向に配置した構成となっているので、フレームタイミングで「ＳＣＨ１相関値」が最大となり、「ＳＣＨ２相関値」には大きなピークは現れない。そのため、同期チャネル相関部３１０が抽出した１ＴＴＩ長分のサブキャリア信号に関して、「ＳＣＨ１相関値」に最大相関値が現れ「ＳＣＨ２相関値」に大きなピークが現れないときには、「ＳＣＨ１相関値」の最大相関値が現れるシンボルタイミングをフレームタイミングおよびＴＴＩタイミングであると同定することができる。
【００８４】
ただし、実施の形態２においては、単にＳＣＨ１系列による最大相関値が現れればそのタイミングをフレームタイミングと同定するのではなく、ＳＣＨ２系列による相関値の最大値との差が所定のしきい値より大きいとき、すなわちある程度の差がついて初めてフレームタイミングとして同定する。こうすることにより、フレームタイミングであると同定する基準を厳しくすることになるため、フレームタイミング同定の正確性を向上することができる。
【００８５】
また、例えば、同期チャネル相関部が図９の下図の左から２番目に示すタイミング、すなわちフレームの先頭のＴＴＩと次のＴＴＩとにまたがったタイミングで１ＴＴＩ長分のサブキャリア信号を抽出した場合には、そのＴＴＩの範囲内にＴＴＩタイミングは存在するがフレームタイミングは存在しない。実施の形態２のフレームは上述のような構成をとっているので、「ＳＣＨ２相関値」がＴＴＩタイミングで最大となり、このＴＴＩタイミ
ングでは「ＳＣＨ１相関値」の大きなピークは現れない。そのため、同期チャネル相関部３１０が抽出した１ＴＴＩ長分のサブキャリア信号に関して、「ＳＣＨ２相関値」に最大相関値が現れ「ＳＣＨ１相関値」に大きなピークが現れないときには、「ＳＣＨ２相関値」の最大相関値が現れるシンボルタイミングをＴＴＩタイミング（ただし、このＴＴＩタイミングはフレームタイミングではない）であると同定することができる。
【００８６】
ただし、実施の形態２においては、単にＳＣＨ２系列による最大相関値が現れればそのタイミングをＴＴＩタイミングと同定するのではなく、ＳＣＨ２系列による相関値の最大値との差が所定のしきい値より大きいとき、すなわちある程度の差がついて初めてＴＴＩタイミングとして同定する。こうすることにより、ＴＴＩタイミングであると同定する基準を厳しくすることになるため、ＴＴＩタイミング同定の正確性を向上することができる。
【００８７】
なお、上記説明においては、ＳＣＨ１系列による相関値の最大値とＳＣＨ２系列による相関値の最大値との差と、しきい値との比較結果に応じてフレームタイミングおよびＴＴＩタイミングの同定を行ったが、これに限定されるものではなく、ＳＣＨ１系列又はＳＣＨ２系列による最大相関値から所定の値を引いてしきい値を算出し、このしきい値と最大相関値が得られた方ではないＳＣＨ１系列又はＳＣＨ２系列の相関値の最大値との比較結果に応じてフレームタイミングおよびＴＴＩタイミングの同定を行ってもよい。
【００８８】
このように実施の形態２によれば、基地局装置３００に、予め定められている複数のサブキャリアにおいて、フレーム同期系列（ＳＣＨ１系列）がフレームの先頭ＴＴＩの先頭に合わせて時間方向に配置され、ＴＴＩ同期系列（ＳＣＨ２系列）が前記先頭ＴＴＩ以外のＴＴＩの先頭に合わせて時間方向に配置されたフレームを受信する無線受信部２１０と、受信フレームから前記フレーム同期系列および前記ＴＴＩ同期系列が配置されているサブキャリア信号をＴＴＩ長抽出し、抽出したサブキャリア信号に当該フレーム同期系列および前記ＴＴＩ同期系列の各々を時間方向に乗算して相関をとる同期チャネル相関部３１０と、前記ＴＴＩ同期系列による相関値に基づいてＴＴＩタイミングを検出し、前記フレーム同期系列による相関値に基づいてフレームタイミングを検出するＴＴＩタイミング／フレームタイミング検出部３２０とを設け、ＴＴＩタイミング／フレームタイミング検出部３２０は、前記ＴＴＩ同期系列による最大相関値と前記フレーム同期系列による最大相関値との差と、しきい値との比較結果に基づいて、前記ＴＴＩタイミングおよび前記フレームタイミングを同定する。
【００８９】
こうすることにより、ＴＴＩタイミングおよびフレームタイミングであると同定する基準を厳しくすることになるため、ＴＴＩタイミング同定およびフレームタイミング同定の正確性を向上することができる。その結果、セルサーチのリトライ回数を軽減することができセルサーチの高速化を図ることができる。
【００９０】
（実施の形態３）
実施の形態１のフレームは、同一のサブキャリアにおけるフレーム先頭のＴＴＩにＳＣＨ１系列を時間軸方向に配置しそれ以外のＴＴＩにはＳＣＨ２系列を時間軸方向に配置した構成をとっている。これに対して、実施の形態３のフレームは、ＳＣＨ１系列およびＳＣＨ２系列の配置されるＴＴＩについては時間に関して実施の形態１と同様であるが、ＳＣＨ１系列とＳＣＨ２系列とでは配置されるサブキャリアが異なる。さらに、ＳＣＨ１系列およびＳＣＨ２系列が配置されるサブキャリア数が実施の形態１に比べて減少している。なお、実施の形態３における基地局装置および移動局装置の主要構成は、実施の形態１における基地局装置１００および移動局装置２００の主要構成と同一であるため、図２および図４を用いて本実施の形態について説明する。
【００９１】
フレーム構成部１２０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【００９２】
実施の形態３においては、フレーム構成部１２０は、同期用チャネル生成部１１５より２種類の異なる系列、すなわちＳＣＨ１系列およびＳＣＨ２系列を入力し、予め決められている少なくとも２つ以上の異なるサブキャリアにＳＣＨ１系列およびＳＣＨ２系列の各々を挿入する。
【００９３】
具体的には、図１０に示すように、所定のサブキャリアにおいてＳＣＨ１系列をフレーム先頭のＴＴＩに時間軸方向に配置し、ＳＣＨ１系列を配置したサブキャリア以外の所定のサブキャリアにおいてＳＣＨ２系列をフレーム先頭のＴＴＩ以外のＴＴＩに時間軸方向に配置する。なお、同図においては、実施の形態１のフレーム構成に比べて、ＳＣＨ１系列およびＳＣＨ２系列の各々が配置されるサブキャリア数が半数となっている。こうすることにより、実施の形態１のフレーム構成に比べて両系列の各々が配置されるサブキャリア数が半分になっても周波数上にバランス良く配置されるので周波数フェージングに耐性が低下することはない。また、両系列の各々が配置されるサブキャリア数を実施の形態１と同数にする場合には、さらに周波数フェージングに対する耐性を向上することができ、ＳＣＨ１系列およびＳＣＨ２系列のいずれも検出できない確率が低下するため、セルサーチが成功する確率を上げることができる。
【００９４】
同期チャネル相関部２３０は、ＦＦＴ処理部２２５からＦＦＴ処理後の受信信号を入力し、ＳＣＨが多重されているサブキャリア信号をそれぞれ１ＴＴＩ長分抽出し、この抽出した信号と、同期チャネル系列レプリカ生成部２３５から入力される２つのＳＣＨ系列レプリカ（ＳＣＨ１系列レプリカ、ＳＣＨ２系列レプリカ）との時間方向の相関演算を行い、同相加算して相関値を求める。すなわち、同期チャネル相関部２３０は、ＳＣＨ１系列が多重されているサブキャリア信号について１ＴＴＩ長分抽出し、この抽出した信号と、ＳＣＨ１系列レプリカとの時間方向の相関演算を行い同相加算して相関値を求める。そして、ＳＣＨ２系列についても同様にして相関値を求める。
【００９５】
さらに、同期チャネル相関部２３０は、ＳＣＨ１系列ごとあるいはＳＣＨ２系列ごとにサブキャリア間で相関値の電力合成を行い、各シンボルにおける相関値の電力合成結果をＴＴＩタイミング／フレームタイミング検出部２４０に出力する。
【００９６】
このように実施の形態３によれば、基地局装置１００に、フレーム同期系列と、ＴＴＩ同期系列とを異なるサブキャリアに配置し、前記フレーム同期系列をフレームの先頭ＴＴＩの先頭に合わせて時間方向に配置し、前記ＴＴＩ同期系列を前記先頭ＴＴＩ以外のＴＴＩの先頭に合わせて時間方向に配置してフレームを形成するフレーム構成部１２０と、前記フレームを送信する無線送信部１４５と、を設けた。
【００９７】
こうすることにより、両系列が周波数上にバランス良く配置されるので、周波数フェージングに対する耐性を向上することができる。また、両系列が配置されるサブキャリアを明確に分けることにより、例えば、他セルで利用されている系列との干渉を防止することができる。
【００９８】
また、実施の形態３によれば、移動局装置２００に、フレーム同期系列と、ＴＴＩ同期系列とが異なるサブキャリアに配置され、前記フレーム同期系列がフレームの先頭ＴＴＩの先頭に合わせて時間方向に配置され、前記ＴＴＩ同期系列が前記先頭ＴＴＩ以外のＴＴＩの先頭に合わせて時間方向に配置されたフレームを受信する無線受信部２１０と、前記
フレーム同期系列が配置されているサブキャリア信号と前記ＴＴＩ同期系列が配置されているサブキャリア信号とを同じシンボルタイミングでＴＴＩ長抽出し、抽出したサブキャリア信号の各々に対して配置されている前記フレーム同期系列又は前記ＴＴＩ同期系列を時間方向に乗算して相関をとる同期チャネル相関部２３０と、前記ＴＴＩ同期系列による相関値に基づいてＴＴＩタイミングを検出し、前記フレーム同期系列による相関値に基づいてフレームタイミングを検出するＴＴＩタイミング／フレームタイミング検出部２４０と、を設けた。
【００９９】
こうすることにより、両系列が周波数上にバランス良く配置されたフレームを受信するので、周波数フェージングに対する耐性を向上することができる。また、両系列が配置されるサブキャリアを明確に分けられたフレームを受信することにより、例えば、他セルで利用されている系列との干渉を防止することができる。
【０１００】
（実施の形態４）
実施の形態１のフレームは、同一のサブキャリアにおけるフレーム先頭のＴＴＩにＳＣＨ１系列を時間軸方向に配置しそれ以外のＴＴＩにはＳＣＨ２系列を時間軸方向に配置した構成をとっている。これに対して、実施の形態４のフレームは、同一サブキャリアにＳＣＨ１系列およびＳＣＨ２系列を互いにＴＴＩに関して重なることなく配置する点では実施の形態１と同様であるが、１つのＳＣＨ１系列およびＳＣＨ２系列を複数のサブキャリアに分けて配置する点が異なる。そのため、ＳＣＨ１系列およびＳＣＨ２系列を配置するために必要なシンボル数は実施の形態１と同様であっても利用するサブキャリアの数が増加するので、周波数選択フェージングに強いフレーム構成となっている。なお、実施の形態４における基地局装置および移動局装置の主要構成は、実施の形態１における基地局装置１００および移動局装置２００の主要構成と同一であるため、図２および図４を用いて本実施の形態について説明する。
【０１０１】
フレーム構成部１２０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【０１０２】
実施の形態４においては、フレーム構成部１２０は、同期用チャネル生成部１１５より２種類の異なる系列、すなわちＳＣＨ１系列およびＳＣＨ２系列を入力し、予め決められているサブキャリアにＳＣＨ１系列およびＳＣＨ２系列を挿入する。
【０１０３】
具体的には、図１１に示すように、１ＴＴＩ長のＳＣＨ１系列を複数のＳＣＨ１分割系列に分割し、このＳＣＨ１分割系列が隣接する複数のサブキャリアにおけるフレーム先頭ＴＴＩの時間的に最も早いシンボル群に配置されている。また、１ＴＴＩ長のＳＣＨ２系列を分けたＳＣＨ２分割系列については、隣接する複数のサブキャリアにサブキャリアにおけるフレーム先頭以外のＴＴＩの時間的に最も早いシンボル群に配置されている。このようなフレーム構成をとることにより、ＳＣＨ１系列およびＳＣＨ２系列を配置するために必要なシンボル数は実施の形態１と同様であるので送信データを送るためのフレームにおけるシンボル数に変化はないが、１つのＳＣＨ１系列およびＳＣＨ２系列を複数のサブキャリアに分けて送信するため周波数選択フェージングに対する耐性を向上することができる。
【０１０４】
同期チャネル相関部２３０は、ＦＦＴ処理部２２５からＦＦＴ処理後の受信信号を入力し、ＳＣＨが多重されているサブキャリア信号をそれぞれ１ＴＴＩ長分抽出し、この抽出した信号と、それと対応するＳＣＨ１分割系列およびＳＣＨ２分割系列との時間方向の相関演算を行い、同相加算して相関値を求める。すなわち、同期チャネル相関部２３０は、
ＳＣＨ１系列が多重されているサブキャリア信号について１ＴＴＩ長分抽出し、この抽出した信号と、そのサブキャリア信号に対応するＳＣＨ１分割系列レプリカとの時間方向の相関演算を行い同相加算して相関値を求める。そして、ＳＣＨ２系列についても同様にして相関値を求める。
【０１０５】
さらに、同期チャネル相関部２３０は、ＳＣＨ１系列ごとあるいはＳＣＨ２系列ごとにサブキャリア間で相関値の電力合成を行い、各シンボルにおける相関値の電力合成結果をＴＴＩタイミング／フレームタイミング検出部２４０に出力する。
【０１０６】
このように実施の形態４によれば、基地局装置１００に、フレーム同期系列（ＳＣＨ１系列）が所定数に分割されたフレーム同期分割系列を隣接する複数のサブキャリアにおけるフレームの先頭に合わせて時間方向に各々配置し、ＴＴＩ同期系列（ＳＣＨ２系列）が所定数に分割されたＴＴＩ同期分割系列を隣接する複数のサブキャリアにおける前記先頭ＴＴＩ以外のＴＴＩの先頭に合わせて時間方向に各々配置してフレームを形成するフレーム構成部１２０と、前記フレームを送信する無線送信部１４５とを設けた。
【０１０７】
こうすることにより、両系列を分割した分割系列を複数のサブキャリアに分散して配置することで両系列の多重されるサブキャリア数を増やすことができるので、周波数フェージングに対する耐性を向上することができる。
【０１０８】
また、実施の形態４によれば、移動局装置２００に、フレーム同期系列が所定数に分割されたフレーム同期分割系列が隣接する複数のサブキャリアにおけるフレームの先頭に合わせて時間方向に各々配置され、ＴＴＩ同期系列が所定数に分割されたＴＴＩ同期分割系列が隣接する複数のサブキャリアにおける前記先頭ＴＴＩ以外のＴＴＩの先頭に合わせて時間方向に各々配置されたフレームを受信する無線受信部２１０と、受信フレームから前記フレーム同期系列および前記ＴＴＩ同期系列が配置されているサブキャリア信号をＴＴＩ長抽出し、抽出したサブキャリア信号に対し対応する前記フレーム同期分割系列および前記ＴＴＩ同期分割系列の各々を時間方向に乗算して相関をとる同期チャネル相関部２３０と、前記ＴＴＩ同期分割系列による相関値に基づいてＴＴＩタイミングを検出し、前記フレーム同期分割系列による相関値に基づいてフレームタイミングを検出するＴＴＩタイミング／フレームタイミング検出部２４０と、を設けた。
【０１０９】
こうすることにより、両系列を分割した分割系列が複数のサブキャリアに分散して配置されることで両系列の多重されるサブキャリア数が増やされたフレームを受信することができるので、周波数フェージングに対する耐性を向上することができる。
【０１１０】
（実施の形態５）
実施の形態１のフレームは、同一のサブキャリアにおけるフレーム先頭のＴＴＩにＳＣＨ１系列を時間軸方向に配置しそれ以外のＴＴＩにはＳＣＨ２系列を時間軸方向に配置した構成をとっている。これに対して、実施の形態５のフレームは、所定のサブキャリアのフレーム先頭のＴＴＩにＳＣＨ１系列を時間軸方向に配置し、このＳＣＨ１系列が配置されていない所定のサブキャリアにおけるフレーム先頭ＴＴＩを含むすべてのＴＴＩにＳＣＨ２系列を配置する。また、ＳＣＨ１系列およびＳＣＨ２系列が配置されるサブキャリア数が実施の形態１に比べて減少している。
【０１１１】
図１２に示すように実施の形態５の基地局装置４００は、フレーム構成部４１０を有する。
【０１１２】
このフレーム構成部４１０は、変調部１１０からの変調後の信号を入力し、同期用チャネル生成部１１５からのＳＣＨ系列を入力し、変調後の信号およびＳＣＨ系列をサブキャ
リア（すなわち、周波数）および時間により特定される、予め定められているシンボルに配置してフレームを形成する。
【０１１３】
実施の形態５においては、フレーム構成部４１０は、同期用チャネル生成部１１５より２種類の異なる系列、すなわちＳＣＨ１系列およびＳＣＨ２系列を入力し、互いに異なるサブキャリアに各ＳＣＨ系列（ＳＣＨ１系列、ＳＣＨ２系列）を挿入する。
【０１１４】
具体的には、フレーム構成部４１０は、図１３に示すように所定のサブキャリアのフレーム先頭のＴＴＩにＳＣＨ１系列を時間軸方向に配置し、このＳＣＨ１系列が配置されていない所定のサブキャリアにおけるフレーム先頭ＴＴＩを含むすべてのＴＴＩにＳＣＨ２系列を配置する。なお、ＳＣＨ１系列およびＳＣＨ２系列の長さは、いずれもＴＴＩ長である。
【０１１５】
図１４に示すように実施の形態５の移動局装置５００は、同期チャネル相関部５１０と、ＴＴＩタイミング／フレームタイミング検出部５２０とを有する。
【０１１６】
かかる構成を有する移動局装置５００の動作について図１５のフロー図を参照して説明すると、同期チャネル相関部５１０は、ステップＳＴ１００２〜１００４において実施の形態１の同期チャンネル相関部２３０と同様の動作をする。
【０１１７】
まず最初の段階では平均化する相関値がないのでステップＳＴ３００１をスキップし、ステップＳＴ３００２において、ＴＴＩタイミング／フレームタイミング検出部５２０は、同期チャネル相関部５１０から１ＴＴＩ内の各シンボルタイミングについてのＳＣＨ１系列およびＳＣＨ２系列による相関値（電力合成後のもの）を入力し、各系列に関する相関値の中で最大相関値が得られるタイミングと、ＳＣＨ系列の種別（すなわち、ＳＣＨ１系列であるか又はＳＣＨ２系列であるか）とを検出する。
【０１１８】
ステップＳＴ３００３において、ＴＴＩタイミング／フレームタイミング検出部５２０は、ステップＳＴ３００２にて検出した、ＳＣＨ２系列の最大相関値とＳＣＨ１系列の最大相関値との差と、所定のしきい値との比較を行い、比較結果に応じた処理を行う。
【０１１９】
具体的には、ＳＣＨ２系列の最大相関値とＳＣＨ１系列の最大相関値との差が所定のしきい値より大きい場合（ステップＳＴ３００３：ＹＥＳ）には、ＴＴＩタイミング／フレームタイミング検出部５２０は、ＳＣＨ２系列による最大相関値が得られたタイミングをＴＴＩタイミングと同定する（ステップＳＴ３００４）。そして、ＴＴＩタイミング／フレームタイミング検出部５２０は、ＴＴＩタイミング情報を同期チャネル相関部５１０に出力する。
【０１２０】
ステップＳＴ３００５において、同期チャネル相関部５１０は、ＴＴＩタイミング／フレームタイミング検出部５２０からＴＴＩタイミング情報を受け取ると、ＴＴＩタイミングであるシンボルタイミングについてのみＳＣＨ１系列レプリカ、ＳＣＨ２系列レプリカと、抽出信号との相関演算を行うこととなるため、次のＴＴＩタイミングにおける、ＳＣＨ１系列レプリカ、ＳＣＨ２系列レプリカと、抽出信号との相関演算を行う。そして、同期チャネル相関部５１０は、ステップＳＴ３００５にて所定のサブキャリア毎に得た相関値をＳＣＨ１系列ごとあるいはＳＣＨ２系列ごとにサブキャリア間で相関値の電力合成を行う。そして、ＴＴＩタイミング／フレームタイミング検出部５２０は、ＳＣＨ２系列について電力合成した相関値とＳＣＨ１系列について電力合成した相関値との差と、所定のしきい値とを比較して、比較結果に応じた処理を行う。比較の結果、ＳＣＨ２系列について電力合成した相関値とＳＣＨ１系列について電力合成した相関値との差が所定のしきい値より大きい場合には、ステップＳＴ３００４に再度移行する。
【０１２１】
ＳＣＨ２系列の最大相関値とＳＣＨ１系列の最大相関値との差が所定のしきい値以下の場合（ステップＳＴ３００３：ＮＯ）には、ＴＴＩタイミング／フレームタイミング検出部５２０は、ＳＣＨ２系列の最大相関値の得られるタイミングと、ＳＣＨ１系列の最大相関値の得られるタイミングとを比較する（ステップＳＴ３００６）。
【０１２２】
比較の結果、ＳＣＨ２系列の最大相関値の得られるタイミングと、ＳＣＨ１系列の最大相関値の得られるタイミングとが一致する場合（ステップＳＴ３００６：ＹＥＳ）には、ＴＴＩタイミング／フレームタイミング検出部５２０は、そのタイミングをフレームタイミングと同定する（ステップＳＴ３００７）。
【０１２３】
比較の結果、ＳＣＨ２系列の最大相関値の得られるタイミングと、ＳＣＨ１系列の最大相関値の得られるタイミングとが一致しない場合（ステップＳＴ３００６：ＮＯ）には、ＴＴＩタイミング／フレームタイミング検出部５２０は、ステップＳＴ１００３に移行する。
【０１２４】
ステップＳＴ３００８において、スクランブリングコード同定部２４５は、入力されるフレームタイミング情報に従って受信信号からＣＰＩＣＨを抽出し、スクランブリングコードレプリカの全候補と既知であるパイロット信号を用いてＣＰＩＣＨレプリカを形成し、抽出したＣＰＩＣＨと生成したＣＰＩＣＨレプリカとの相関をとり、最大相関値が得られるＣＰＩＣＨレプリカを形成する際に用いたスクランブリングコードを同定する。そして、同定したスクランブリングコードを用いてデスクランブルを行い、誤り訂正復号、ＣＲＣチェックを行ってＣＲＣチェック結果に応じてベリフィケーション（検証）を行う。
【０１２５】
図１６を参照して、上記ＴＴＩタイミングおよびフレームタイミングの同定について視覚的に説明する。同図においては、上の方に示す図（上図）として実施の形態１のフレームが示され、下図として同期チャネル相関部が４つのタイミングで１ＴＴＩ長分のサブキャリア信号を抽出した場合の、「ＳＣＨ１相関値」および「ＳＣＨ２相関値」の算出状況が示されている。なお、同図において、１ＴＴＩは８シンボルからなっているものとする。
【０１２６】
例えば、同期チャネル相関部が図１６の下図の一番左に示すタイミング、すなわち前のフレームから今回のフレームにまたがったタイミングで１ＴＴＩ長分のサブキャリア信号を抽出した場合には、そのＴＴＩの範囲内にフレームタイミングが存在する。実施の形態５のフレームはフレーム先頭のＴＴＩの異なるサブキャリアにＳＣＨ１系列およびＳＣＨ２系列の各々が配置された構成となっているので、フレームタイミングでは「ＳＣＨ１相関値」および「ＳＣＨ２相関値」の両方に大きさに余り差のない大きなピークが現れる。そのため、「ＳＣＨ１相関値」の最大値と「ＳＣＨ２相関値」の最大値との差が所定のしきい値以下である場合、すなわち両最大値に余り差がない場合には、このタイミングをフレームタイミングの候補とする。そして、「ＳＣＨ１相関値」の最大値および「ＳＣＨ２相関値」の最大値が現れるタイミングもフレームタイミングで一致するはずなので、両最大値が現れるタイミングが一致する場合にはそのタイミングをフレームタイミングと同定する。なお、図１６の下図の一番左に示すタイミングでは、両最大値に余り差がなく、且つ、両最大値が現れるタイミングが一致しているので、このタイミングはフレームタイミングと同定される。
【０１２７】
また、例えば、同期チャネル相関部が図１６の下図の左から２番目に示すタイミング、すなわちフレームの先頭のＴＴＩと次のＴＴＩとにまたがったタイミングで１ＴＴＩ長分のサブキャリア信号を抽出した場合には、そのＴＴＩの範囲内にＴＴＩタイミングは存在するがフレームタイミングは存在しない。実施の形態２のフレームは上述のような構成を
とっているので、「ＳＣＨ２相関値」がＴＴＩタイミングで最大となり、このＴＴＩタイミングでは「ＳＣＨ１相関値」の大きなピークは現れない。そのため、同期チャネル相関部が抽出した１ＴＴＩ長分のサブキャリア信号に関して、「ＳＣＨ２相関値」に最大相関値が現れ「ＳＣＨ１相関値」に大きなピークが現れないときには、「ＳＣＨ２相関値」の最大相関値が現れるシンボルタイミングをＴＴＩタイミング（ただし、このＴＴＩタイミングはフレームタイミングではない）と同定することができる。
【０１２８】
このように実施の形態５によれば、基地局装置４００に、フレーム同期系列（ＳＣＨ１系列）を所定のサブキャリアにおけるフレームの先頭に合わせて時間方向に配置し、ＴＴＩ同期系列（ＳＣＨ２系列）を前記フレーム同期系列が配置された前記所定のサブキャリア以外のサブキャリアにおけるすべてのＴＴＩの先頭に合わせて配置してフレームを形成するフレーム構成部４１０と、前記フレームを送信する無線送信部１４５とを設けた。
【０１２９】
こうすることにより、フレーム先頭ＴＴＩにおいては時間的にフレーム同期系列とＴＴＩ同期系列とが多重されて送信されているので、フレームの受信側においてはフレームタイミングとこのフレームタイミングに対応するＴＴＩタイミングの検出結果がタイミング的に一致するか否かを判定することにより、フレームタイミングの成否を判定することができる。その結果、フレームタイミング同定の正確性を向上することができる。
【０１３０】
また、実施の形態５によれば、移動局装置５００に、フレーム同期系列（ＳＣＨ１系列）が所定のサブキャリアにおけるフレームの先頭に合わせて時間方向に配置され、ＴＴＩ同期系列（ＳＣＨ２系列）が前記フレーム同期系列の配置された前記所定のサブキャリア以外のサブキャリアにおけるすべてのＴＴＩの先頭に合わせて配置されたフレームを受信する無線受信部２１０と、受信フレームから前記フレーム同期系列および前記ＴＴＩ同期系列が配置されているサブキャリア信号をＴＴＩ長抽出し、抽出したサブキャリア信号に当該フレーム同期系列および前記ＴＴＩ同期系列の各々を時間方向に乗算して相関をとる同期チャネル相関部５１０と、前記ＴＴＩ同期系列による相関値に基づいてＴＴＩタイミングを検出し、前記フレーム同期系列による相関値に基づいてフレームタイミングを検出するＴＴＩタイミング／フレームタイミング検出部５２０とを設けた。
【０１３１】
ＴＴＩタイミング／フレームタイミング検出部５２０は、検出した前記フレームタイミングと、このフレームタイミングに対応する、検出した前記ＴＴＩタイミングとが一致するときに、検出した前記フレームタイミングをフレームタイミングとして同定する。
【０１３２】
こうすることにより、フレーム先頭ＴＴＩにおいては時間的にフレーム同期系列とＴＴＩ同期系列とが多重されて送信されているので、フレームタイミングとこのフレームタイミングに対応するＴＴＩタイミングの検出結果がタイミング的に一致するか否かを判定することにより、フレームタイミングの成否を判定することができる。その結果、フレームタイミング同定の正確性を向上することができる。
【０１３３】
また、ＴＴＩタイミング／フレームタイミング検出部５２０は、前記ＴＴＩ同期系列による最大相関値と前記フレーム同期系列による最大相関値との差分量に応じて、前記ＴＴＩタイミングおよび前記フレームタイミングを同定する。
【０１３４】
こうすることにより、ＴＴＩタイミングおよびフレームタイミングであると同定する基準を厳しくすることになるため、ＴＴＩタイミング同定およびフレームタイミング同定の正確性を向上することができる。その結果、セルサーチのリトライ回数を軽減することができセルサーチの高速化を図ることができる。
【０１３５】
（実施の形態６）
実施の形態６のフレームは、所定のサブキャリアにおいてはＳＣＨ２系列をすべてのＴＴＩに時間軸方向に配置し、このサブキャリア以外の所定のサブキャリアにおいてはフレーム先頭のＴＴＩにのみＳＣＨ２系列を時間軸方向に配置する。すなわち、実施の形態５におけるＳＣＨ１系列をＳＣＨ２系列に変更したフレーム構成をとっている。
【０１３６】
図１７に示すように実施の形態６の基地局装置６００は、フレーム構成部６１０を有する。
【０１３７】
このフレーム構成部６１０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【０１３８】
実施の形態６においては、フレーム構成部６１０は、同期用チャネル生成部１１５から受け取るＳＣＨ２系列を、予め定められているサブキャリアに挿入する。
【０１３９】
具体的には、フレーム構成部６１０は、図１８に示すように所定のサブキャリアにおいてはＳＣＨ２系列をすべてのＴＴＩに時間軸方向に配置し、このサブキャリア以外の所定のサブキャリアにおいてはフレーム先頭のＴＴＩにのみＳＣＨ２系列を時間軸方向に配置する。
【０１４０】
図１９に示すように実施の形態６の移動局装置７００は、同期チャネル相関部７１０と、ＴＴＩタイミング／フレームタイミング検出部７２０とを有する。
【０１４１】
かかる構成を有する移動局装置７００の動作について図２０のフロー図を参照して説明すると、ステップＳＴ４００１において、同期チャネル相関部７１０は、すべてのＴＴＩに亘ってＳＣＨ２系列が配置されているサブキャリア信号をそれぞれ１ＴＴＩ長分抽出する。
【０１４２】
ステップＳＴ４００２において、同期チャネル相関部７１０は、ステップＳＴ４００１にて抽出した信号と、ＳＣＨ２系列レプリカとの時間方向の相関演算を１ＴＴＩの全シンボルに亘って行う。
【０１４３】
ステップＳＴ４００３において、同期チャネル相関部７１０は、ステップＳＴ４００２にて得た相関値をサブキャリア間で電力合成する。
【０１４４】
ステップＳＴ４００４において、同期チャネル相関部７１０は、ステップＳＴ４００３にて得た相関値をＳＣＨ２系列レプリカの抽出した信号に対する時間的相対的位置ごとにＴＴＩ単位で平均化を行う。
【０１４５】
ステップＳＴ４００５において、ＴＴＩタイミング／フレームタイミング検出部７２０は、ステップＳＴ４００４にて得た平均化された相関値のうち最大相関値が得られるタイミングをＴＴＩタイミングとして同定する。そして、ＴＴＩタイミング情報を同期チャネル相関部７１０に出力する。
【０１４６】
ステップＳＴ４００６において、同期チャネル相関部７１０は、ＴＴＩタイミング／フレームタイミング検出部７２０からＴＴＩタイミング情報を受け取ると、ＴＴＩタイミングであるシンボルタイミングについてのみＳＣＨ２系列レプリカと、抽出信号との相関演算を行うこととなるため、次のＴＴＩタイミングにおける、ＳＣＨ２系列レプリカと、抽出信号との相関演算を行う。
【０１４７】
ステップＳＴ４００７において、同期チャネル相関部７１０は、すべてのＴＴＩに亘ってＳＣＨ２系列が配置されたサブキャリアに係る次のＴＴＩタイミングにおける抽出信号と、ＳＣＨ２系列レプリカとの相関演算を行う。
【０１４８】
ステップＳＴ４００８において、ＴＴＩタイミング／フレームタイミング検出部７２０は、ステップＳＴ４００７にて演算された相関値を用いて今回のＴＴＩタイミングがフレームタイミングであるか否かを判定する。具体的には、実施の形態６のフレームはその先頭のＴＴＩにのみＳＣＨ２系列が配置されたサブキャリアが存在するので、このサブキャリアの信号とすべてのＴＴＩに亘ってＳＣＨ２系列が配置されたサブキャリア信号との相関をＴＴＩタイミングに従ってとることにより、今回のＴＴＩタイミングがフレームタイミングであるか否かを判定することができる。具体的には、その先頭のＴＴＩにのみＳＣＨ２系列が配置されたサブキャリア信号とすべてのＴＴＩに亘ってＳＣＨ２系列が配置されたサブキャリア信号との相関がある程度の大きさであれば、今回のＴＴＩタイミングがフレームタイミングであると判断され、相関がある程度の大きさに満たなければ今回のＴＴＩタイミングはフレームタイミングでないと判断される。
【０１４９】
判定の結果、今回のＴＴＩタイミングがフレームタイミングであると判断される場合（ステップＳＴ４００８：ＹＥＳ）には、ＴＴＩタイミング／フレームタイミング検出部７２０は、このＴＴＩタイミングをフレームタイミングと同定する（ステップＳＴ４００９）。
【０１５０】
判定の結果、今回のＴＴＩタイミングがフレームタイミングでないと判断される場合（ステップＳＴ４００８：ＮＯ）には、ステップＳＴ４００６に戻り、次のＴＴＩタイミングでサブキャリア信号を抽出する。
【０１５１】
ステップＳＴ４０１０において、スクランブリングコード同定部２４５は、入力されるフレームタイミング情報に従って受信信号からＣＰＩＣＨを抽出し、スクランブリングコードレプリカの全候補と既知であるパイロット信号を用いてＣＰＩＣＨレプリカを形成し、抽出したＣＰＩＣＨと生成したＣＰＩＣＨレプリカとの相関をとり、最大相関値が得られるＣＰＩＣＨレプリカを形成する際に用いたスクランブリングコードを同定する。
【０１５２】
このように実施の形態６によれば、基地局装置６００に、フレーム同期系列を所定のサブキャリアにおけるフレームの先頭に合わせて時間方向に配置し、ＴＴＩ同期系列を前記フレーム同期系列が配置された前記所定のサブキャリア以外のサブキャリアにおけるすべてのＴＴＩの先頭に合わせて配置し前記フレーム同期系列と前記ＴＴＩ同期系列とが同一系列（例えば、ＳＣＨ２系列）からなるフレームを形成するフレーム構成部６１０と、前記フレームを送信する無線送信部１４５とを設けた。
【０１５３】
こうすることにより、すべてのＴＴＩにＴＴＩ同期系列が配置されたサブキャリア信号を用いてフレームの受信側においてＴＴＩタイミングを検出した後は、このＴＴＩタイミングに従ってＴＴＩ同期系列が配置されたサブキャリア信号とフレーム同期系列が配置されたサブキャリア信号との相関をとるだけでフレームタイミングか又はフレームタイミングでないＴＴＩタイミングかを判定することができる。また、同じタイミングの、異なるサブキャリア信号の相関をとることにより伝搬路の影響を打ち消すことができるので、上記判定の結果の正確性も高いものとなる。
【０１５４】
（実施の形態７）
実施の形態７のフレームは、所定のサブキャリアにフレーム同期のためのＳＣＨ１系列がすべてのＴＴＩに亘って時間軸方向に配置され、このＳＣＨ１系列が配置されたサブキ
ャリア以外の所定のサブキャリアにＴＴＩ同期のためのＳＣＨ２系列がすべてのＴＴＩに亘って時間軸方向に配置されている。ただし、ＳＣＨ１系列は１フレーム長であり、ＳＣＨ２系列は１ＴＴＩ長である。
【０１５５】
図２１に示すように実施の形態７の基地局装置８００は、フレーム構成部８１０を有する。このフレーム構成部８１０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【０１５６】
実施の形態７においては、フレーム構成部８１０は、同期用チャネル生成部１１５より２種類の異なる系列、すなわちＳＣＨ１系列およびＳＣＨ２系列を入力し、予め決められている少なくとも２つ以上の異なるサブキャリアにＳＣＨ１系列およびＳＣＨ２系列の各々を挿入する。
【０１５７】
具体的には、図２２に示すように、所定のサブキャリアにおいてフレーム同期のためのＳＣＨ１系列をすべてのＴＴＩに亘って時間軸方向に配置し、このＳＣＨ１系列が配置されたサブキャリア以外の所定のサブキャリアにおいてＴＴＩ同期のためのＳＣＨ２系列をすべてのＴＴＩに亘って時間軸方向に配置する。ただし、ＳＣＨ１系列は１フレーム長であるためフレーム周期で配置されるが、ＳＣＨ２系列はＴＴＩ長であるためＴＴＩ周期で配置される。
【０１５８】
図２３に示すように実施の形態７の移動局装置９００は、同期チャネル相関部９１０と、ＴＴＩタイミング／フレームタイミング検出部９２０とを有する。
【０１５９】
同期チャネル相関部９１０は、ＦＦＴ処理部２２５からＦＦＴ処理後の受信信号を入力し、ＳＣＨが多重されているサブキャリア信号を抽出し、この抽出した信号と、２つのＳＣＨ系列レプリカ（ＳＣＨ１系列レプリカ、ＳＣＨ２系列レプリカ）との時間方向の相関演算を行い、同相加算して相関値を求める。具体的には、同期チャネル相関部９１０は、ＳＣＨ１系列が多重されているサブキャリア信号を１フレーム分抽出し、この抽出した信号と、１フレーム長であるＳＣＨ１系列レプリカとの時間方向の相関演算を行い、同相加算して相関値を求める。これと並行して、同期チャネル相関部９１０は、ＳＣＨ２系列が多重されているサブキャリア信号を１ＴＴＩ長分抽出し、この抽出した信号と、１ＴＴＩ長であるＳＣＨ２系列レプリカとの時間方向の相関演算を行い、同相加算して相関値を求める。さらに、所定のサブキャリア毎に得た相関値をＳＣＨ１系列ごとあるいはＳＣＨ２系列ごとにサブキャリア間で相関値の電力合成を行い、各シンボルにおける相関値の電力合成結果をＴＴＩタイミング／フレームタイミング検出部９２０に出力する。
【０１６０】
ＴＴＩタイミング／フレームタイミング検出部９２０は、同期チャネル相関部９１０から１フレーム内の各シンボルタイミングについてのＳＣＨ２系列による相関値（電力合成後のもの）を入力し、入力した相関値の中で最大相関値が得られるタイミングを検出する。また、ＴＴＩタイミング／フレームタイミング検出部９２０は、同期チャネル相関部９１０から１ＴＴＩ内の各シンボルタイミングについてのＳＣＨ２系列による相関値（電力合成後のもの）を入力し、入力した相関値の中で最大相関値が得られるタイミングを検出する。そして、検出した両タイミングをフレームタイミングおよびＴＴＩタイミングとして同定する。なお、フレームタイミングはＴＴＩタイミングでもあるので、フレームタイミングとＴＴＩタイミングとが一致するか否かを判定し、この判定結果を終了判定に利用してもよい。すなわち、フレームタイミングとＴＴＩタイミングとが一致する場合には、初期セルサーチの第２段階を終了するものとし、一方、フレームタイミングとＴＴＩタイミングとが一致しない場合には、初期セルサーチの第２段階が失敗したと判定して第１段
階若しくは第２段階の最初からリトライする、又は、同期チャネル相関部９１０にて次のフレーム又はＴＴＩにおけるサブキャリア信号から得られる相関値も含めた平均化を行ってもよい。
【０１６１】
また、上記説明においては、フレームタイミングとＴＴＩタイミングとを並行して検出するものとして説明を行ったが、これに限定されるものではなく、まず、ＴＴＩタイミングを検出し、ＴＴＩタイミングを検出した後にそのＴＴＩタイミングの中からフレームタイミングを検出するように段階的な検出を行ってもよい。
【０１６２】
このように実施の形態７によれば、基地局装置８００に、フレーム長に等しいフレーム同期系列（ＳＣＨ１系列）を所定のサブキャリアで時間方向に配置し、当該フレーム同期系列が配置された前記所定のサブキャリア以外のサブキャリアにＴＴＩ長に等しいＴＴＩ同期系列（ＳＣＨ２系列）を時間方向に配置してフレームを形成するフレーム構成部８１０と、前記フレームを送信する無線送信部１４５とを設けた。
【０１６３】
こうすることにより、フレームの受信側において、ＴＴＩタイミングの検出とフレームタイミングの検出とを同時に独立に行うことができるので、両タイミングの同定を高速に行うことができる。また、フレーム同期系列が長いので、フレームタイミング検出精度を向上することができる。
【０１６４】
また、実施の形態７によれば、移動局装置９００に、フレーム長に等しいフレーム同期系列（ＳＣＨ１系列）が所定のサブキャリアで時間方向に配置され、ＴＴＩ長に等しいＴＴＩ同期系列（ＳＣＨ２系列）が前記フレーム同期系列の配置された前記所定のサブキャリア以外のサブキャリアに時間方向に配置されたフレームを受信する無線受信部２１０と、受信フレームから、前記フレーム同期系列が配置されているサブキャリア信号をフレーム長抽出し抽出した前記サブキャリア信号に当該フレーム同期系列を時間方向に掛け合わせて相関をとるとともに、前記ＴＴＩ同期系列が配置されているサブキャリア信号をＴＴＩ長抽出し抽出した前記サブキャリア信号に当該ＴＴＩ同期系列を乗算し相関をとる同期チャネル相関部９１０と、前記ＴＴＩ同期系列による相関値に基づいてＴＴＩタイミングを検出し、前記フレーム同期系列による相関値に基づいてフレームタイミングを検出するＴＴＩタイミング／フレームタイミング検出部９２０と、を設けた。
【０１６５】
こうすることにより、ＴＴＩタイミングの検出とフレームタイミングの検出とを同時に独立に行うことができるので、両タイミングの同定を高速に行うことができる。また、フレーム同期系列が長いので、フレームタイミング検出精度を向上することができる。
【０１６６】
また、ＴＴＩタイミング／フレームタイミング検出部９２０は、前記フレームタイミングでない前記ＴＴＩタイミングを検出したときにＴＴＩタイミング情報を同期チャネル相関部９１０に出力し、同期チャネル相関部９１０は、前記ＴＴＩタイミング情報に従って、前記ＴＴＩタイミングにおいてのみ前記フレーム同期系列による相関をとる。
【０１６７】
こうすることにより、ＴＴＩタイミングを検出した後はＴＴＩタイミングについてのみフレームタイミングであるか否かを確認すればよいため、同期チャネル相関部９１０の処理量を軽減できるとともにフレームタイミングを検出するまでの時間を短縮でき、セルサーチを高速化することができる。
【０１６８】
また、ＴＴＩタイミング／フレームタイミング検出部９２０は、検出した前記フレームタイミングと、このフレームタイミングに対応する、検出した前記ＴＴＩタイミングとが一致するときに、検出した前記フレームタイミングをフレームタイミングとして同定する。
【０１６９】
こうすることにより、フレームタイミングであると同定する基準を厳しくすることになるため、フレームタイミング同定の正確性を向上することができる。その結果、セルサーチのリトライ回数を軽減することができセルサーチの高速化を図ることができる。
【０１７０】
（実施の形態８）
実施の形態１乃至実施の形態７のフレームは、ＳＣＨ系列が時間軸方向に配置された構成となっていた。これに対して実施の形態８のフレームは、まずＳＣＨ系列が周波数軸方向に配置された構成となっている。また、すべてのＴＴＩに共通してＴＴＩ先頭のシンボルにＳＣＨ系列が時間多重される。さらにフレーム先頭のＴＴＩにおいてはＴＴＩ末尾のシンボルにＳＣＨ系列が時間多重され、フレーム先頭以外のＴＴＩにおいてはＴＴＩ先頭と末尾以外のシンボルにＳＣＨ系列が時間多重される。こうして、ＴＴＩ先頭のシンボル以外に配置されたＳＣＨ系列のＴＴＩにおける位置により先頭ＴＴＩとそれ以外のＴＴＩとの区別がつくようになっている。
【０１７１】
図２４に示すように実施の形態８の基地局装置１０００は、フレーム構成部１０１０を有する。このフレーム構成部１０１０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【０１７２】
実施の形態８においては、フレーム構成部１０１０は、同期用チャネル生成部１１５よりＳＣＨ２系列を入力し、フレームの先頭ＴＴＩとそれ以外のＴＴＩで区別がつくようにＳＣＨ系列を周波数軸方向に配置するシンボル位置を変えてフレームに挿入する。
【０１７３】
具体的には、図２５に示すように、フレーム構成部１０１０は、フレーム先頭のＴＴＩにおいてはＴＴＩ先頭および末尾のシンボルにＳＣＨ２系列を周波数軸方向に配置し、フレーム先頭以外のＴＴＩにおいてはＴＴＩの先頭シンボル並びに先頭および末尾シンボル以外の所定のシンボル（同図においては、「固有シンボル」と表示）にＳＣＨ２系列を周波数軸方向に配置する。
【０１７４】
図２６に示すように実施の形態８の移動局装置１１００は、同期チャネル相関部１１１０と、ＴＴＩタイミング／フレームタイミング検出部１１２０とを有する。
【０１７５】
かかる構成を有する移動局１１００の動作について説明すると、同期チャネル相関部１１１０は、ＦＦＴ処理部２２５からＦＦＴ処理後の受信信号を入力し、ＴＴＩ間隔でＯＦＤＭシンボルを抽出し、抽出した信号と、ＳＣＨ２系列レプリカとの周波数軸方向の相関演算を行う。そして、ＴＴＩにおけるシンボル位置が同一のＯＦＤＭシンボルに係る相関値をＴＴＩ間で電力平均して電力平均値をＴＴＩタイミング／フレームタイミング検出部１１２０に出力する。
【０１７６】
ＴＴＩタイミング／フレームタイミング検出部１１２０は、電力平均された相関値のうち最大相関値が得られるシンボルタイミングをＴＴＩタイミングとして検出する。そして、ＴＴＩタイミング情報を同期チャネル相関部１１１０に出力する。
【０１７７】
同期チャネル相関部１１１０は、ＴＴＩタイミング情報を受け取った後には、上記固有シンボル位置のＯＦＤＭシンボルと、ＴＴＩの末尾のＯＦＤＭシンボルとを抽出し、抽出した各ＯＦＤＭシンボルと、ＳＣＨ２系列レプリカとの周波数方向の相関演算を行い、求めた相関値をＴＴＩタイミング／フレームタイミング検出部１１２０に出力する。
【０１７８】
ＴＴＩタイミング／フレームタイミング検出部１１２０は、同期チャネル相関部１１１０からの相関値を入力し、固有シンボル位置のＯＦＤＭシンボルに係る相関値が大きくＴＴＩの末尾のＯＦＤＭシンボルに係る相関値が小さいときにはこのときのＴＴＩタイミングはフレームタイミング以外のＴＴＩタイミングであると判定し、一方、ＴＴＩの末尾のＯＦＤＭシンボルに係る相関値が大きく固有シンボル位置のＯＦＤＭシンボルに係る相関値が小さいときにはこのときのＴＴＩタイミングをフレームタイミングと判定する。そして、フレームタイミング情報をスクランブリングコード同定部２４５に出力する。
【０１７９】
なお、上記説明においては、ＴＴＩの先頭シンボル、末尾シンボル、および固有シンボルのすべてを同一のＳＣＨ系列としたが、これに限定されるものではなく、先頭シンボルと、末尾シンボルおよび固有シンボルとで異なるＳＣＨ系列を用いてもよい。
【０１８０】
このように実施の形態８によれば、マルチキャリア通信を行う基地局装置１０００に、各サブキャリアにおける各ＴＴＩの先頭シンボルおよび所定シンボルに同期をとるための同期系列を周波数方向に配置してフレームを形成するフレーム構成部１０１０と、前記フレームを送信する無線送信部１４５と、具備し、フレーム構成部１０１０は、前記フレームの先頭ＴＴＩと前記先頭ＴＴＩ以外のＴＴＩとの間で前記所定シンボルの位置を変えて前記同期系列を配置する。
【０１８１】
こうすることにより、フレームの受信側において、各ＴＴＩの先頭シンボルに配置された同期系列を用いてＴＴＩタイミングを検出した後は、上記所定シンボルの位置によりフレームタイミングと、フレームタイミングでないＴＴＩタイミングとを判別することができる。また、同期系列を周波数方向に配置し時間方向に繰り返して配置しているため時間ダイバーシチ効果を得ることができる。
【０１８２】
また、フレーム構成部１０１０は、前記先頭ＴＴＩにおいては前記所定シンボルを末尾のシンボルとする。
【０１８３】
また、実施の形態８によれば、基地局装置１０００から送信されたフレームに基づいてセルサーチを行う移動局装置１１００に、各サブキャリアにおける各ＴＴＩの先頭シンボルおよび所定シンボルに同期をとるための同期系列が周波数方向に配置され、先頭ＴＴＩと当該先頭ＴＴＩ以外のＴＴＩとの間で前記所定シンボルの位置が異なるフレームを受信する無線受信部２１０と、前記フレームからＴＴＩ間隔に各サブキャリアにおけるシンボルを抽出し、抽出した前記シンボルに前記同期系列を周波数方向に乗算して相関をとる同期チャネル相関部１１１０と、同期チャネル相関部１１１０にて得られた相関値に基づいてＴＴＩタイミングを検出してＴＴＩタイミング情報を前記相関手段に出力するＴＴＩタイミング／フレームタイミング検出部１１２０と、を具備し、同期チャネル相関部１１１０は、前記ＴＴＩタイミング情報に従って前記所定シンボルに前記同期系列を乗算して相関をとり、ＴＴＩタイミング／フレームタイミング検出部１１２０は、前記所定シンボルと前記同期系列との相関値に基づいて、前記先頭ＴＴＩと当該先頭ＴＴＩ以外のＴＴＩとを同定する。
【０１８４】
こうすることにより、各ＴＴＩの先頭シンボルに配置された同期系列を用いてＴＴＩタイミングを検出した後は、上記所定シンボルの位置によりフレームタイミングと、フレームタイミングでないＴＴＩタイミングとを判別することができる。また、同期系列を周波数方向に配置し時間方向に繰り返して配置しているため時間ダイバーシチ効果を得ることができる。
【０１８５】
（実施の形態９）
実施の形態８においては、フレーム先頭以外のＴＴＩにおけるＴＴＩ先頭以外のシンボ
ル以外にＳＣＨ系列が配置された固有シンボルの位置は、フレーム先頭以外の各ＴＴＩにおいて共通である。これに対して、実施の形態９においては、フレーム先頭以外の各ＴＴＩにおける固有シンボル位置をＴＴＩ（例えば、ＴＴＩ識別番号）に応じて変化させる。すなわち、固有シンボル位置を用いてＴＴＩ識別情報を付加している。こうすることにより、固有シンボルのＴＴＩにおける位置を検出することにより、そのＴＴＩがどのＴＴＩであるか同定することができ、その結果、フレームタイミングも同定することができる。なお、実施の形態９における基地局装置および移動局装置の主要構成は、実施の形態８における基地局装置１０００および移動局装置１１００の主要構成と同一であるため、図２４および図２６を用いて本実施の形態について説明する。
【０１８６】
実施の形態９においては、フレーム構成部１０１０は、同期用チャネル生成部１１５よりＳＣＨ２系列を入力し、フレームの先頭ＴＴＩとそれ以外のＴＴＩで区別がつくようにＳＣＨ系列を周波数軸方向に配置するシンボル位置を変えてフレームに挿入する。さらに、フレーム先頭以外のＴＴＩ間においても区別がつくように、ＴＴＩ先頭シンボル以外にＳＣＨ系列が配置されるシンボル位置をＴＴＩ識別情報に応じて変えてフレームに挿入する。
【０１８７】
具体的には、図２７に示すようにフレーム構成部１０１０は、フレーム先頭のＴＴＩにおいてはＴＴＩ先頭および末尾のシンボルにＳＣＨ２系列を周波数軸方向に配置し、フレーム先頭以外のＴＴＩにおいてはＴＴＩの先頭シンボル並びに先頭および末尾シンボル以外のＴＴＩ識別番号に応じた所定のシンボルにＳＣＨ２系列を周波数軸方向に配置する。
【０１８８】
次いで実施の形態９の移動局装置１１００の動作について説明すると、同期チャネル相関部１１１０は、ＦＦＴ処理部２２５からＦＦＴ処理後の受信信号を入力し、ＴＴＩ間隔でＯＦＤＭシンボルを抽出し、抽出した信号と、ＳＣＨ２系列レプリカとの周波数軸方向の相関演算を行う。そして、ＴＴＩにおけるシンボル位置が同一のＯＦＤＭシンボルに係る相関値をＴＴＩ間で電力平均して電力平均値をＴＴＩタイミング／フレームタイミング検出部１１２０に出力する。
【０１８９】
ＴＴＩタイミング／フレームタイミング検出部１１２０は、電力平均された相関値のうち最大相関値が得られるシンボルタイミングをＴＴＩタイミングとして検出する。そして、ＴＴＩタイミング情報を同期チャネル相関部１１１０に出力する。
【０１９０】
同期チャネル相関部１１１０は、ＴＴＩタイミング情報を受け取った後には、上記固有シンボル位置の候補に対応するＯＦＤＭシンボルを抽出し、抽出した各ＯＦＤＭシンボルと、ＳＣＨ２系列レプリカとの周波数方向の相関演算を行い、求めた相関値をＴＴＩタイミング／フレームタイミング検出部１１２０に出力する。
【０１９１】
ＴＴＩタイミング／フレームタイミング検出部１１２０は、同期チャネル相関部１１１０からの相関値を入力し、最大相関値が得られた固有シンボル位置を検出し、この固有シンボルに対応するＴＴＩ識別情報を同定する。予め各ＴＴＩタイミングとフレームタイミングとのフレームにおける位置関係は決まっているので、このＴＴＩ識別情報が判明すると、ＴＴＩタイミング／フレームタイミング検出部１１２０は、これに応じてフレームタイミングを同定することができる。そして、フレームタイミング情報は、スクランブリングコード同定部２４５に出力される。
【０１９２】
このように実施の形態９によれば、マルチキャリア通信を行う基地局装置１０００に、各サブキャリアにおける各ＴＴＩの先頭シンボルおよび所定シンボルに同期をとるための同期系列を周波数方向に配置してフレームを形成するフレーム構成部１０１０と、前記フレームを送信する無線送信部１４５と、を設け、フレーム構成部１０１０は、前記フレー
ムの先頭ＴＴＩと前記先頭ＴＴＩ以外のＴＴＩとの間で前記所定シンボルの位置を変えて前記同期系列を配置するとともに、前記先頭ＴＴＩ以外のＴＴＩにおいて前記同期系列を配置する前記所定シンボルを当該ＴＴＩごとに変える。すなわち、フレーム構成部１０１０は、ＴＴＩごとに前記所定シンボルを変えて前記同期系列を配置する。
【０１９３】
こうすることにより、フレームの受信側において、ＴＴＩタイミングを検出した後は、所定シンボルの位置によりＴＴＩを識別することができる。予め各ＴＴＩとフレームタイミングとの位置関係を把握しておくことで、ＴＴＩを識別することができれば直ぐにフレームタイミングを同定することができる。
【０１９４】
また、実施の形態９によれば、基地局装置１０００から送信されたフレームに基づいてセルサーチを行う移動局装置１１００に、各サブキャリアにおける各ＴＴＩの先頭シンボルおよび所定シンボルに同期をとるための同期系列が周波数方向に配置され、先頭ＴＴＩと当該先頭ＴＴＩ以外のＴＴＩとの間で前記所定シンボルの位置が異なるフレームを受信する無線受信部２１０と、前記フレームからＴＴＩ間隔に各サブキャリアにおけるシンボルを抽出し、抽出した前記シンボルに前記同期系列を周波数方向に乗算して相関をとる同期チャネル相関部１１１０と、同期チャネル相関部１１１０にて得られた相関値に基づいてＴＴＩタイミングを検出してＴＴＩタイミング情報を同期チャネル相関部１１１０に出力するＴＴＩタイミング／フレームタイミング検出部１１２０と、を設け、同期チャネル相関部１１１０は、前記ＴＴＩタイミング情報に従って前記所定シンボルに前記同期系列を乗算して相関をとり、ＴＴＩタイミング／フレームタイミング検出部１１２０は、前記所定シンボルと前記同期系列との相関値に基づいて、前記先頭ＴＴＩと当該先頭ＴＴＩ以外のＴＴＩとを同定する。そして、無線受信部２１０は、ＴＴＩごとに前記所定シンボルを変えて前記同期系列が配置された前記フレームを受信し、ＴＴＩタイミング／フレームタイミング検出部１１２０は、前記所定シンボルと前記同期系列との相関値に基づいて、各ＴＴＩを同定する。
【０１９５】
こうすることにより、ＴＴＩタイミングを検出した後は、所定シンボルの位置によりＴＴＩを識別することができる。予め各ＴＴＩとフレームタイミングとの位置関係を把握しておくことで、ＴＴＩを識別することができれば直ぐにフレームタイミングを同定することができる。
【０１９６】
（実施の形態１０）
実施の形態９においては、フレーム先頭以外の各ＴＴＩにおける固有シンボル位置をＴＴＩ（例えば、ＴＴＩ識別番号）に応じて変化させる。これに対して、実施の形態１０においては、サブキャリアを複数のサブキャリアブロックに分け、ＴＴＩ（例えば、ＴＴＩ識別情報）に応じて、ＴＴＩに含まれるサブキャリアブロックごとのＳＣＨ系列を配置するシンボル位置を変化させる。すなわち、サブキャリアブロックごとのＳＣＨ系列が配置されるシンボル位置の組み合わせを用いてＴＴＩ識別情報を付加している。つまり、ＴＴＩにおけるＳＣＨ系列の２次元の配置パターン(時間・周波数)によりＴＴＩ識別情報を表現している。こうすることにより、ＴＴＩにおけるサブキャリアブロックごとのＳＣＨ系列が配置されているシンボル位置を検出し、サブキャリアブロックとＳＣＨ系列が配置されているシンボル位置との組み合わせから、そのＴＴＩがどのＴＴＩであるか同定することができ、その結果、フレームタイミングも同定することができる。なお、実施の形態１０における基地局装置および移動局装置の主要構成は、実施の形態８における基地局装置１０００および移動局装置１１００の主要構成と同一であるため、図２４および図２６を用いて本実施の形態について説明する。
【０１９７】
実施の形態１０においては、フレーム構成部１０１０は、同期用チャネル生成部１１５よりＳＣＨ２系列を入力し、ＴＴＩ同士で区別がつくようにＳＣＨ系列を周波数軸方向に
配置するシンボル位置を変えてフレームに挿入する。
【０１９８】
具体的には、図２８に示すように各ＴＴＩの先頭シンボルには共通してＳＣＨ２系列を配置し、先頭シンボル以外には各ＴＴＩに応じて各サブキャリアブロックにおけるＳＣＨ２系列の配置されるシンボル位置を変える。ここで、実施の形態９のようにＴＴＩにおけるＳＣＨ系列の配置される位置をすべてのサブキャリアブロックで共通のシンボル位置にする場合には高々１ＴＴＩに含まれるシンボル数と同数のＴＴＩ識別情報しか表すことができないが、本実施の形態のようなフレーム構成とすることにより、ＴＴＩにおける各サブキャリアブロックのＳＣＨ系列を配置するシンボル位置数のサブキャリアブロック数乗種のＴＴＩ識別情報を表すことができる。具体的には、サブキャリアブロックが４つであり、ＴＴＩにおける各サブキャリアブロックのＳＣＨを配置するシンボル位置が６つである場合には（先頭シンボルを除く）、６の４乗個のＴＴＩ識別情報を表すことができる。
【０１９９】
次いで実施の形態１０の移動局装置１１００の動作について説明すると、同期チャネル相関部１１１０は、ＦＦＴ処理部２２５からＦＦＴ処理後の受信信号を入力し、ＴＴＩ間隔でＯＦＤＭシンボルを抽出し、抽出した信号と、ＳＣＨ２系列レプリカとの周波数軸方向の相関演算を行う。そして、ＴＴＩにおけるシンボル位置が同一のＯＦＤＭシンボルに係る相関値をＴＴＩ間で電力平均して電力平均値をＴＴＩタイミング／フレームタイミング検出部１１２０に出力する。
【０２００】
ＴＴＩタイミング／フレームタイミング検出部１１２０は、電力平均された相関値のうち最大相関値が得られるシンボルタイミングをＴＴＩタイミングとして検出する。そして、ＴＴＩタイミング情報を同期チャネル相関部１１１０に出力する。
【０２０１】
同期チャネル相関部１１１０は、ＴＴＩタイミング情報を受け取った後には、ＴＴＩにおける各サブキャリアブロックのＳＣＨ系列が配置されているシンボル位置候補のシンボル群を抽出し、抽出した各サブキャリアブロックのシンボル群と、ＳＣＨ２系列レプリカとの周波数方向の相関演算を行い、求めた相関値をサブキャリアブロックおよびシンボル位置と対応づけてＴＴＩタイミング／フレームタイミング検出部１１２０に出力する。
【０２０２】
ＴＴＩタイミング／フレームタイミング検出部１１２０は、同期チャネル相関部１１１０からの、サブキャリアブロックおよびシンボル位置と関係づけられた相関値を入力し、これらの入力情報に基づいて今回のＴＴＩ識別情報（例えば、ＴＴＩ識別番号）を同定する。予め各ＴＴＩタイミングとフレームタイミングとのフレームにおける位置関係は決まっているので、このＴＴＩ識別情報が判明すると、ＴＴＩタイミング／フレームタイミング検出部１１２０は、これに応じてフレームタイミングを同定することができる。そして、フレームタイミング情報は、スクランブリングコード同定部２４５に出力される。
【０２０３】
このように実施の形態１０によれば、マルチキャリア通信を行う基地局装置１０００に、各サブキャリアにおける各ＴＴＩの先頭シンボルおよび所定シンボルに同期をとるための同期系列を周波数方向に配置してフレームを形成するフレーム構成部１０１０と、前記フレームを送信する無線送信部１４５と、具備し、フレーム構成部１０１０は、前記フレームの先頭ＴＴＩと前記先頭ＴＴＩ以外のＴＴＩとの間で前記所定シンボルの位置を変えて前記同期系列を配置するとともに、前記同期系列を配置する前記所定シンボルをサブキャリアブロックごとに移動してＴＴＩごとに変える。すなわち、フレーム構成部１０１０は、前記所定シンボルをサブキャリアブロックごとに移動してＴＴＩごとに前記所定シンボルの位置を変えて前記同期系列を配置する。
【０２０４】
こうすることにより、所定シンボルの位置で表すことができる情報が増えるので、フレームに含まれるＴＴＩの数が多くなっても対応することができる。
【０２０５】
また、実施の形態１０によれば、基地局装置１０００から送信されたフレームに基づいてセルサーチを行う移動局装置１１００に、各サブキャリアにおける各ＴＴＩの先頭シンボルおよび所定シンボルに同期をとるための同期系列が周波数方向に配置され、先頭ＴＴＩと当該先頭ＴＴＩ以外のＴＴＩとの間で前記所定シンボルの位置が異なるフレームを受信する無線受信部２１０と、前記フレームからＴＴＩ間隔に各サブキャリアにおけるシンボルを抽出し、抽出した前記シンボルに前記同期系列を周波数方向に乗算して相関をとる同期チャネル相関部１１１０と、同期チャネル相関部１１１０にて得られた相関値に基づいてＴＴＩタイミングを検出してＴＴＩタイミング情報を前記相関手段に出力するＴＴＩタイミング／フレームタイミング検出部１１２０と、を具備し、同期チャネル相関部１１１０は、前記ＴＴＩタイミング情報に従って前記所定シンボルに前記同期系列を乗算して相関をとり、ＴＴＩタイミング／フレームタイミング検出部１１２０は、前記所定シンボルと前記同期系列との相関値に基づいて、前記先頭ＴＴＩと当該先頭ＴＴＩ以外のＴＴＩとを同定する。そして、無線受信部２１０は、前記同期系列を配置する前記所定シンボルがサブキャリアブロックごとに移動されＴＴＩごとに変えられた前記フレームを受信し、ＴＴＩタイミング／フレームタイミング検出部１１２０は、前記所定シンボルと前記同期系列との相関値に基づいて、各ＴＴＩを同定する。
【０２０６】
こうすることにより、所定シンボルの位置で表すことができる情報が増えるので、フレームに含まれるＴＴＩの数が多くなっても対応することができる。
【０２０７】
（実施の形態１１）
実施の形態８においては、１種類のＳＣＨ系列のみを利用している。これに対して、実施の形態１１においては、ＴＴＩ先頭シンボルのＳＣＨ系列とＴＴＩ先頭シンボル以外に配置されるＳＣＨ系列とを異なるＳＣＨ系列（ＳＣＨ１系列、ＳＣＨ２系列）とする。なお、実施の形態１１における基地局装置および移動局装置の主要構成は、実施の形態８における基地局装置１０００および移動局装置１１００の主要構成と同一であるため、図２４および図２６を用いて本実施の形態について説明する。
【０２０８】
実施の形態１１においては、フレーム構成部１０１０は、同期用チャネル生成部１１５よりＳＣＨ１系列およびＳＣＨ２系列を入力し、ＳＣＨ１系列を各ＴＴＩの先頭シンボルに周波数軸方向に配置し、ＳＣＨ２系列をフレームの先頭ＴＴＩとそれ以外のＴＴＩで区別がつくようにＳＣＨ系列を周波数軸方向に配置するシンボル位置を変えてフレームに挿入する。
【０２０９】
具体的には、図２９に示すように、フレーム構成部１０１０は、フレーム先頭のＴＴＩにおいてはＴＴＩ先頭シンボルにＳＣＨ１系列を配置するとともに末尾のシンボルにＳＣＨ２系列を周波数軸方向に配置し、フレーム先頭以外のＴＴＩにおいてはＴＴＩの先頭シンボルにＳＣＨ１系列を配置し先頭および末尾シンボル以外の所定のシンボル（同図においては、「固有シンボル」と表示）にＳＣＨ２系列を周波数軸方向に配置する。
【０２１０】
次いで実施の形態１１の移動局装置１１００の動作について説明すると、同期チャネル相関部１１１０は、ＦＦＴ処理部２２５からＦＦＴ処理後の受信信号を入力し、ＴＴＩ間隔でＯＦＤＭシンボルを抽出し、抽出した信号と、ＳＣＨ１系列レプリカとの周波数軸方向の相関演算を行う。そして、ＴＴＩにおけるシンボル位置が同一のＯＦＤＭシンボルに係る相関値をＴＴＩ間で電力平均して電力平均値をＴＴＩタイミング／フレームタイミング検出部１１２０に出力する。
【０２１１】
ＴＴＩタイミング／フレームタイミング検出部１１２０は、電力平均された相関値のうち最大相関値が得られるシンボルタイミングをＴＴＩタイミングとして検出する。そして
、ＴＴＩタイミング情報を同期チャネル相関部１１１０に出力する。
【０２１２】
同期チャネル相関部１１１０は、ＴＴＩタイミング情報を受け取った後には、上記固有シンボル位置の候補に対応するＯＦＤＭシンボルを抽出し、抽出した各ＯＦＤＭシンボルと、ＳＣＨ２系列レプリカとの周波数方向の相関演算を行い、求めた相関値をＴＴＩタイミング／フレームタイミング検出部１１２０に出力する。
【０２１３】
ＴＴＩタイミング／フレームタイミング検出部１１２０は、同期チャネル相関部１１１０からの相関値を入力し、最大相関値が得られた固有シンボル位置を検出し、この固有シンボルに対応するＴＴＩ識別情報を同定する。予め各ＴＴＩタイミングとフレームタイミングとのフレームにおける位置関係は決まっているので、このＴＴＩ識別情報が判明すると、ＴＴＩタイミング／フレームタイミング検出部１１２０は、これに応じてフレームタイミングを同定することができる。そして、フレームタイミング情報は、スクランブリングコード同定部２４５に出力される。
【０２１４】
このように実施の形態１１によれば、マルチキャリア通信を行う基地局装置１０００に、各サブキャリアにおける各ＴＴＩの先頭シンボルおよび所定シンボルに同期をとるための同期系列を周波数方向に配置してフレームを形成するフレーム構成部１０１０と、前記フレームを送信する無線送信部１４５と、具備し、フレーム構成部１０１０は、前記フレームの先頭ＴＴＩと前記先頭ＴＴＩ以外のＴＴＩとの間で前記所定シンボルの位置を変えて前記同期系列を配置し、前記先頭シンボルと、前記所定シンボルとに異なる系列を配置する。
【０２１５】
こうすることにより、前記先頭シンボルと、前記所定シンボルとに異なる系列を配置するので、受信側において前記先頭シンボルを用いてＴＴＩタイミングを検出する際に所定シンボルに配置された系列の影響を受けずにすむため、ＴＴＩタイミング検出の精度を向上することができる。
【０２１６】
（実施の形態１２）
実施の形態１のフレームは、同一のサブキャリアにおけるフレーム先頭のＴＴＩにＳＣＨ１系列を時間軸方向に配置しそれ以外のＴＴＩにはＳＣＨ２系列を時間軸方向に配置した構成をとっている。また、実施の形態４のフレームは、ＳＣＨ１系列およびＳＣＨ２系列の配置されるＴＴＩについては時間に関して実施の形態１と同様であるが、ＳＣＨ１系列とＳＣＨ２系列とでは配置されるサブキャリアが異なっている。これに対して、実施の形態１２のフレームは、フレーム先頭のＴＴＩと、それ以外のＴＴＩとでＳＣＨ系列が異なるサブキャリアに配置されている。こうして先頭ＴＴＩとそれ以外のＴＴＩとで区別がつくようになっている。さらに、先頭ＴＴＩ以外のＴＴＩの各々についても、ＳＣＨ系列が配置されるサブキャリアのパタン（組み合わせ）が異なっている。こうして先頭ＴＴＩ以外のＴＴＩについても互いに区別がつくようになっている。また、ＳＣＨ系列としては、１種類のＳＣＨ２系列が用いられている。なお、実施の形態１２における基地局装置および移動局装置の主要構成は、実施の形態１における基地局装置１００および移動局装置２００の主要構成と同一であるため、図２および図４を用いて本実施の形態について説明する。
【０２１７】
フレーム構成部１２０は、変調部１１０からの変調後の信号を入力し、同期用チャネル生成部１１５からのＳＣＨ系列を入力し、変調後の信号およびＳＣＨ系列をサブキャリア（すなわち、周波数）および時間により特定される、予め定められているシンボルに配置してフレームを形成する。
【０２１８】
実施の形態１２においては、フレーム構成部１２０は、同期用チャネル生成部１１５よ
り１種類のＳＣＨ系列（ここでは、ＳＣＨ２系列）を入力し、フレーム先頭のＴＴＩと、それ以外のＴＴＩとでＳＣＨ２系列が配置されるサブキャリアの組み合わせが異なるようにＳＣＨ２系列を挿入する。さらに、フレーム構成部１２０は、先頭ＴＴＩ以外のＴＴＩの各々についても、互いにＳＣＨ２系列が配置されるサブキャリアの組み合わせが異なるようにＳＣＨ２系列を挿入する。
【０２１９】
具体的には、図３０に示すように、すべてのＴＴＩで互いに異なる組み合わせのサブキャリアにＳＣＨ系列が配置されている。同図においては、特に、ＴＴＩ内における、各サブキャリアブロック内のＳＣＨ系列が配置されるサブキャリアは共通である。また、先頭ＴＴＩにおいては、各サブキャリアブロックにおける、周波数方向で端のサブキャリアにＳＣＨ系列が配置されている。
【０２２０】
同期チャネル相関部２３０は、ＦＦＴ処理部２２５からＦＦＴ処理後の受信信号を入力し、ＳＣＨ系列が多重されるすべての組み合わせのサブキャリア信号をそれぞれ１ＴＴＩ長分抽出し、この抽出した信号と、同期チャネル系列レプリカ生成部２３５から入力されるＳＣＨ系列レプリカ（ＳＣＨ２系列レプリカ）との時間方向の相関演算を行い、同相加算して相関値を求める。
【０２２１】
さらに、同期チャネル相関部２３０は、ＳＣＨ系列が多重されるサブキャリアの組み合わせごとに、サブキャリア間で相関値の電力合成を行い、各シンボルにおける相関値の電力合成結果をＴＴＩタイミング／フレームタイミング検出部２４０に出力する。
【０２２２】
ＴＴＩタイミング／フレームタイミング検出部２４０は、同期チャネル相関部２３０から１ＴＴＩ内の各シンボルタイミングについての、配置されるサブキャリアの組み合わせごとのＳＣＨ２系列による相関値（電力合成後のもの）を入力し、入力した相関値の中で最大相関値が得られるタイミングと、ＳＣＨ系列が配置されるサブキャリアの組み合わせとを検出する。そして、ＴＴＩタイミング／フレームタイミング検出部２４０は、最大相関値が得られるタイミングをＴＴＩタイミングと同定し、最大相関値が得られるサブキャリアの組み合わせからＴＴＩ識別情報を同定する。このＴＴＩ識別情報が判明すると、ＴＴＩタイミング／フレームタイミング検出部２４０は、これに応じてフレームタイミングを同定することができる。ここで、最大相関値が得られるサブキャリアの組み合わせがフレームの先頭ＴＴＩにおける組み合わせである場合には、直接フレームタイミングを同定することができる。そして、フレームタイミング情報は、スクランブリングコード同定部２４５に出力される。
【０２２３】
なお、上記説明においては、図３０に示すように同一のＴＴＩ内における、各サブキャリアブロック内のＳＣＨ系列が配置されるサブキャリアが同一の場合について説明を行ったが、これに限定されるものではなく、図３１に示すように同一のＴＴＩ内における、各サブキャリアブロック内のＳＣＨ系列が配置されるサブキャリアを異なるようにしてもよい。要は、各ＴＴＩにおける、ＳＣＨ系列が配置されるサブキャリアの組み合わせが互いに異なることにより、ＴＴＩを区別できればよい。ただし、図３１に示すように同一のＴＴＩ内における、各サブキャリアブロック内のＳＣＨ系列が配置されるサブキャリアを異なるようにすることで表現することができる情報が増えるので、フレームに含まれるＴＴＩの数が多くなっても対応することができる。
【０２２４】
またなお、上記説明においては１種類のＳＣＨ系列をフレーム内に配置する場合について説明を行ったが、これに限定されるものではなく、例えば、フレームの先頭ＴＴＩと、それ以外のＴＴＩとで配置するＳＣＨ系列を異ならせてもよい。
【０２２５】
このように実施の形態１２によれば、基地局装置１００に、フレームタイミング同定の
ために用いられるフレーム同期系列とＴＴＩタイミング同定のために用いられるＴＴＩ同期系列とを、周波数と時間とから特定される、同一シンボルに重ならないように配置してフレームを形成するフレーム構成部１２０と、前記フレームを送信する無線送信部１４５と、を設け、フレーム構成部１２０は、前記フレーム同期系列をフレームの先頭シンボルから所定の位置に配置し且つ前記ＴＴＩ同期系列をＴＴＩの先頭シンボルから所定の位置に配置するとともに、フレームの先頭ＴＴＩにおける前記フレーム同期系列を配置するサブキャリアの組み合わせと、前記先頭ＴＴＩ以外のＴＴＩにおける前記ＴＴＩ同期系列を配置するサブキャリアの組み合わせとを異ならせる。
【０２２６】
こうすることにより、フレームの受信側（移動局装置２００）において、同期系列が配置されているサブキャリアの組み合わせを検出することにより、フレームタイミングと、フレームタイミングでないＴＴＩタイミングとを判別することができる。
【０２２７】
また、基地局装置１００に、フレームタイミング同定のために用いられるフレーム同期系列とＴＴＩタイミング同定のために用いられるＴＴＩ同期系列とを、周波数と時間とから特定される、同一シンボルに重ならないように配置してフレームを形成するフレーム構成部１２０と、前記フレームを送信する無線送信部１４５と、を設け、フレーム構成部１２０は、前記フレーム同期系列をフレームの先頭シンボルから所定の位置に配置し且つ前記ＴＴＩ同期系列をＴＴＩの先頭シンボルから所定の位置に配置するとともに、フレームに含まれる各ＴＴＩにおける前記フレーム同期系列又は前記ＴＴＩ同期系列を配置するサブキャリアの組み合わせを異ならせる。
【０２２８】
こうすることにより、同期系列が配置されているサブキャリアの組み合わせを検出することにより、ＴＴＩを識別することができる。予め各ＴＴＩとフレームタイミングとの位置関係を把握しておくことで、ＴＴＩを識別することができれば直ぐにフレームタイミングを同定することができる。
【０２２９】
また、実施の形態１２によれば、移動局装置２００に、フレームタイミング同定のために用いられるフレーム同期系列（ＳＣＨ１系列）がフレームの先頭シンボルから所定の位置に配置され且つＴＴＩタイミング同定のために用いられるＴＴＩ同期系列（ＳＣＨ２系列）がＴＴＩの先頭シンボルから所定の位置に配置され、前記フレーム同期系列と前記ＴＴＩ同期系列とが周波数と時間とから特定される、同一シンボルに重ならないように配置されたフレームを受信する無線受信部２１０と、前記フレーム同期系列および前記ＴＴＩ同期系列の全候補を前記フレームに順次掛け合わせて相関をとる同期チャネル相関部２３０と、同期チャネル相関部２３０にて得られる相関値に基づいて、前記フレームタイミングおよび前記ＴＴＩタイミングを検出するＴＴＩタイミング／フレームタイミング検出部２４０と、を設け、無線受信部２１０は、フレームの先頭ＴＴＩにおける前記フレーム同期系列を配置するサブキャリアの組み合わせと、前記先頭ＴＴＩ以外のＴＴＩにおける前記ＴＴＩ同期系列を配置するサブキャリアの組み合わせとが異なるフレームを受信し、同期チャネル相関部２３０は、受信フレームから前記フレーム同期系列および前記ＴＴＩ同期系列が配置されているサブキャリア信号をＴＴＩ長抽出し、抽出したサブキャリア信号に当該フレーム同期系列および前記ＴＴＩ同期系列の各々を時間方向に乗算して相関をとり、ＴＴＩタイミング／フレームタイミング検出部２４０は、同期チャネル相関部２３０にて得られた、前記サブキャリアの組み合わせごとの相関値に基づいて、フレームタイミングおよびＴＴＩタイミングを検出し各ＴＴＩを同定する。
【０２３０】
こうすることにより、同期系列が配置されているサブキャリアの組み合わせを検出することにより、フレームタイミングと、フレームタイミングでないＴＴＩタイミングとを判別することができる。
【産業上の利用可能性】
【０２３１】
本発明の基地局装置は、セルサーチにＴＴＩタイミングの同定を導入しセルサーチを高速化するものとして有用である。
【図面の簡単な説明】
【０２３２】
【図１】従来のフレームの構成を示す図
【図２】本発明の実施の形態１に係る基地局装置の構成を示すブロック図
【図３】実施の形態１のフレーム構成を示す図
【図４】実施の形態１の移動局装置の構成を示すブロック図
【図５】図４の移動局装置の動作の説明に供するフロー図
【図６】図４の移動局装置におけるＴＴＩタイミングおよびフレームタイミングの同定方法の説明に供する図
【図７】実施の形態２に係る移動局装置の構成を示すブロック図
【図８】図７の移動局装置の動作の説明に供するフロー図
【図９】図７の移動局装置におけるＴＴＩタイミングおよびフレームタイミングの同定方法の説明に供する図
【図１０】実施の形態３のフレーム構成を示す図
【図１１】実施の形態４のフレーム構成を示す図
【図１２】実施の形態５の基地局装置の構成を示すブロック図
【図１３】実施の形態５のフレーム構成を示す図
【図１４】実施の形態５の移動局装置の構成を示すブロック図
【図１５】図１４の移動局装置の動作の説明に供するフロー図
【図１６】図１４の移動局装置におけるＴＴＩタイミングおよびフレームタイミングの同定方法の説明に供する図
【図１７】実施の形態６の基地局装置の構成を示すブロック図
【図１８】実施の形態６のフレーム構成を示す図
【図１９】実施の形態６の移動局装置の構成を示すブロック図
【図２０】図１９の移動局装置の動作の説明に供するフロー図
【図２１】実施の形態７の基地局装置の構成を示すブロック図
【図２２】実施の形態７のフレーム構成を示す図
【図２３】実施の形態７の移動局装置の構成を示すブロック図
【図２４】実施の形態８の基地局装置の構成を示すブロック図
【図２５】実施の形態８のフレーム構成を示す図
【図２６】実施の形態８の移動局装置の構成を示すブロック図
【図２７】実施の形態９のフレーム構成を示す図
【図２８】実施の形態１０のフレーム構成を示す図
【図２９】実施の形態１１のフレーム構成を示す図
【図３０】実施の形態１２のフレーム構成を示す図
【図３１】実施の形態１２の他のフレーム構成を示す図
【図１】
0004422766.tif 000002
【図２】
0004422766.tif 000003
【図３】
0004422766.tif 000004
【図４】
0004422766.tif 000005
【図５】
0004422766.tif 000006
【図６】
0004422766.tif 000007
【図７】
0004422766.tif 000008
【図８】
0004422766.tif 000009
【図９】
0004422766.tif 000010
【図１０】
0004422766.tif 000011
【図１１】
0004422766.tif 000012
【図１２】
0004422766.tif 000013
【図１３】
0004422766.tif 000014
【図１４】
0004422766.tif 000015
【図１５】
0004422766.tif 000016
【図１６】
0004422766.tif 000017
【図１７】
0004422766.tif 000018
【図１８】
0004422766.tif 000019
【図１９】
0004422766.tif 000020
【図２０】
0004422766.tif 000021
【図２１】
0004422766.tif 000022
【図２２】
0004422766.tif 000023
【図２３】
0004422766.tif 000024
【図２４】
0004422766.tif 000025
【図２５】
0004422766.tif 000026
【図２６】
0004422766.tif 000027
【図２７】
0004422766.tif 000028
【図２８】
0004422766.tif 000029
【図２９】
0004422766.tif 000030
【図３０】
0004422766.tif 000031
【図３１】
0004422766.tif 000032